(57)【要約】      （修正有）【課題】構造がシンプルであり、耐久性、信頼性ある構造で、超小型装置や、逆に、超大型装置とする事を可能とする磁力回転発電装置の提供。【解決手段】主円盤回転車１と副円盤回転車２の主、副各円盤３、４の区分円周を３等区分し、各区分点の接線を基準として各傾斜角の傾斜角線とその直角線を引き、各々傾斜角線、直角線上に各々、主、副各傾斜台６、７を固定し、その各主、副各傾斜台６、７上に、主、副各突出形磁石８、９を固定する。主、副各円盤３、４下部に付けた笠歯車５を噛み合わせ軸受で支持し、対抗区分位置の磁極面を対向させ、吸引力と反発力の回転力を出力し、発電機２５を回転して発電する磁力回転発電装置。【選択図】図２
2018064440.tif 000002
【特許請求の範囲】
【請求項１】
本発明装置の大型機の場合、主円盤回転車と副円盤回転車の構成は、同一直径の主、副各円盤中心下部をボス部とし、中心に軸穴を付け主軸を通し、キー、ボルトにより各々固定する。主、副各円盤の外周側面は、ピッチ円錐角ｘとおなじ傾斜角の円錐面ても良い。又、主、副各円盤下部に、平面形がリング形の各笠歯車を、主、副各円盤下部の段差外円面に各笠歯車下面のフランジ部の内周面を、合わせ取付け、タッピングネジ等により、主、副各円盤下部に固定する。各笠歯車直径は、主、副各円盤直径より歯形部分だけ少し大きめの同一直径、同一歯数とする。又、小型の場合、各笠歯車の中心下部をボス部とし、中心に軸穴を付け主軸を通し、キー、ボルトにより各々固定する。、各笠歯車の上面に、笠歯車より、歯形部分だけ小さめの中心に軸穴があく同一直径の、主、副各円盤を中心軸に通し、各笠歯車の上面にタッピングネジ等で各々、固定する。主、副各円盤面外周より少し内側に、同一直径の区分円周ｇを描き、２以上ので整数区分より、任意の区分数を選択して、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。主円盤の傾斜角αは、笠歯車のピッチ円錐角ｘにより変化する。笠歯車の選択できるピッチ円錐角ｘは、最大３０度であり、この時の傾斜角α、は９０度である。笠歯車のピッチ円錐角ｘは、加工と組み立てが可能であれば、限りなく、０度近くまで選択できる。傾斜角αを３０度よりａ度減じたｘとする時、傾斜角αは、最大ピッチ円錐角ｘの傾斜角αである９０度よりａ度減じた角度とする。又、副円盤における区分円周ｇの各区分点ｅより、逆回転方向に、接線ｆを引き接線ｆを基準として傾斜角βの傾斜線ｊを区分点ｅより引く。又、この傾斜線ｊに対する直角線ｋを区分点ｅより引く。傾斜角βは笠歯車ピッチ円錐角ｘの如何なる選択でも４５度とする。主、副各円盤の傾斜線ｊと直角線ｋ上に主傾斜台と副傾斜台を各々、固定する。主、副各傾斜台の形状は、一体成形であり、分解できないが、各ブロックに分け説明する。主、副各傾斜台は、高さ部分を構成する、平面台ブロックの上に、各々、側面が直角三角形の傾斜ブロックが２個重なった形状であり、更に、この形状に突出部受け板を付けた形状とする。この形状をアルミニューム等のダイキャストの一体成形構造とする。主傾斜台の平面台ブロックは、平面形が正方形であり１辺の長さは、磁極面巾と同じ長さとする。平面台ブロックの高さは、約、突出形磁石の磁極面巾にｓｉｎｘ（ｘは選択したピッチ円錐角）を乗じた値に１．３倍した程度の高さとする。主円盤面における、区分点の傾斜線ｊ、ｋに主傾斜台を固定した時、各ブロックが、どの様な位置、順序、方向で積み上げられているかを説明すると、平面台ブロックは、下端２辺を主円盤面区分点の傾斜線ｊ、ｋに合わせ固定し、傾斜ブロックＢは、平面台ブロックＡ面上に、傾斜面下端線を、傾斜線ｊ位置として、又、傾斜側辺下端を直角線ｋ位置として、上昇傾斜して重なる。傾斜ブロックＣは、傾斜ブロックＢ面上に、傾斜面下端線を直角線ｋ位置とし、又、傾��側辺下端を傾斜線ｊ位置として、上昇傾斜して重なる。傾斜ブロックＢは、選択したピッチ円錐角ｘと同角度とし、又、傾斜ブロックＣの傾斜角度は、選択したピッチ円錐角ｘの１．５倍とする。又副円盤面における、区分点の傾斜線ｊ、ｋに副傾斜台を各々固定した時、各ブロックが、どの様な位置、順序、方向で積み上げられているかを説明すると、平面台ブロックＤの下端２辺を副円盤面区分点の傾斜線ｊ、ｋに合わせる。傾斜ブロックＥは、平面台ブロックＤ面上に、傾斜面上端線を直角線ｋ位置とし、又、傾斜側面下端を傾斜線ｊ位置として下降傾斜して重なる。傾斜ブロックＦは、傾斜ブロックＥ面上に、傾斜面上端線を傾斜線ｊ位置とし、又、傾斜側面下端を直角線ｋ位置として下降傾斜して重なる。傾斜ブロックＥの傾斜角は、選択したピッチ円錐角ｘと同角度とし、傾斜ブロックＦの傾斜角度は、選択したピッチ円錐角ｘの１．５倍とする。尚、選択したピッチ円錐角ｘが３０度の時、傾斜ブロックＦの傾斜角度は４５度となる。この為、傾斜ブロックＦの高さ位置は、基準点であるので、傾斜ブロックＦの高さ位置は、基準点であり変える事は出来ない従って、この傾斜面巾を磁極面巾とするには、下の傾斜ブロックＥの一部端部を削り取り、傾斜角４５斜面とした構成となる。主、副各円盤面の各区分点の傾斜線ｊ、直角線ｋに主傾斜台と、副傾斜台を固定した時、各傾斜台の台面上に電磁石、超電導電磁石、フェライト磁石、ネオジム磁石等で作られた主突出形磁石と副突出形磁石を固定する。主、副各突出形磁石の構成形状は、平面図や斜視図にあるように、本体部の磁石は、磁極面巾と磁極面間方向寸法は、同一寸法で正方形とする。Ｎ・Ｓ磁極面の逆位置端には突出部の磁石が付いた構造とする。主突出形磁石の突出部の磁極面巾は、本体部磁極面巾の７０％の巾とし、突出長さは、本体部磁極面巾の５０％とする。他方、副突出形磁石の突出部の磁極面巾と突出長さは、本体部磁極面巾の５０％とする。本体部磁石と突出部の磁石は、磁石の種類は、同じでも異なっていても良い。例えば、本体部磁石は、フェライト磁石とし、突出部磁石は電磁石としても、超電導電磁石としても良い。主、副各突出形磁石の高さは、本体部の磁極面巾の２分の１から同一寸法程度とする。各区分数における磁極面巾の求め方は、２区分では、区分円周ｇ直径の３分の１巾から４分の１巾より、任意の巾とし、３〜５の各区分では、２区分間の弦巾の４分の１から５分の１巾より、任意の巾を基本磁極面巾とする。８区分とした時、極面巾は、４区分の基本磁極面巾の２分の１巾とする。又、１６区分とした時、極面巾は、基本磁極面巾の４分の１巾となる。主、副各円盤における、主、副各突出形磁石は、各区分点位置に固定した、主、副各傾斜台面上の傾斜線ｊ位置に磁極面とし、又、直角線ｋ位置に、磁極面間方向側面下端として、固定する。本発明では、主、副各円盤における、主、副各突出形磁石の区分点側に位置する磁極面を前磁極面と称し、対極の磁極面を後磁極面と称する事とする。又、前磁極面の突出部磁石は、前突出部、対極の磁極面の突出部磁石は、後突出部と略称する事がある。主、副各突出形磁石に於ける、前磁極面の前突出部は各区分点の逆位置端に付き、対極の後磁極面の後突出��は、各区分点側端に付く。主円盤における各区分点の主突出形磁石の前磁極面磁極は同一とし、副円盤における各区分点の副突出形磁石の前磁極面の磁極は，主突出形磁石の前磁極面の反対磁極とする。又、主、副各天盤下部面の中心穴に、天盤支持管の穴を合わせ、主軸を通し、天盤支持管をフランジ部でネジ等により、主、副各天盤下部面に固定し、天盤面を主軸に対し直角にして支持する。又、主、副各突出形磁石上面は、主、副各連結台下面と接着剤等で接着し、主、副各連結台上面は、主、副各天盤下面に接着剤等で連結する。主、副各連結台は、主、副傾斜台の各傾斜ブロックと平面台ブロックと同じブロックで構成する。ただし、平面台ブロックの高さは、半分であり、各傾斜ブロックの向きは逆向きとする。又、積み上げ順は各傾斜ブロックが先で平面台ブロックが最上部であり、各傾斜ブロック下部部分に突出部受け板を付けた形状構成とし、アルミニューム等のダイキャストの一体成形構造である。電磁石等の電源は、ネオジム磁石を用いた小型の本発明装置を天盤上に搭載し電力を供給する。又は、主軸に回転プラス接触子と主軸端にマイナス接触子設ける。容器側の各位置に、各々、ブラシ保持器を設け、電力を外部より得る。笠歯車の噛み合わせ位置は、主円盤面の区分円周ｇの一つの区分点ｅを噛み合わせ位置とし印付け、この位置を通る中心線上に、笠歯車の１歯間ピッチの谷溝中心を合わせ、この位置に刻印を付け、主円盤３下面に笠歯車をボルト等により固定する。又、副円盤面は、副円盤面における区分円周ｇ上の１点を噛み合わせ点ａとし印を付け、又、磁極面巾ｔにｃｏｓｘを乗じた値に１．５倍した値をａ点からのずれ巾ｚとし、区分円周ｇの逆回転方向にコンパスで区分し、その位置を、区分点ｅの基準として、他の区分点ｅを描く。又、笠歯車を副円盤下面に取付け時、噛み合わせ点ａを通る中心線に笠歯車の１歯山頂部中心を合わせ、その１歯山位置に刻印し、タッピングネジ等により副円盤下面に固定する。主、副各円盤回転車を、装置容器の各軸受により、各主軸を支持する時、主、副各円盤回転車の笠歯車の刻印歯山と刻印歯谷を噛み合わせ支持する。装置容外上部の主円盤回転車の主軸位置に、出力用笠歯車室を固定し、その側壁に軸受を設け、この軸受に軸を通し、軸端にピッチ円錐角４５度の出力用笠歯車を固定する。他方主円盤回転車の主軸に出力用笠歯車を取付け、２個の出力用笠歯車の歯を噛み合わせる。又、出力用笠歯車軸方向の装置容器外上部に、発電機台を付け、台上に発電機を固定する。発電機軸はクラッチに接続し、出力用笠歯車軸と軸継手で連結される。又、出力用笠歯車軸に、ディスクプレートを固定、その位置に、ディスクブレーキ装置を固定する。出力用笠歯車室外の主軸上端にフライホィールをとりつける構造を特徴とする磁力回転発電装置。
【発明の詳細な説明】
【技術分野】
【０００１】この発明は、一対の噛み合う笠歯車上の円盤面周囲区分点に、磁石を固定し、磁石相互間に、作用する吸引力と、反発力とによって回転力とし、発電機を回転させ電力を得る装置であり、電気自動車、船舶、鉄道、ロボット、宇宙航空、農業用、等の電源として用いる。
【背景技術】
【０００２】従来、我国の発明家湊弘平氏により、一対の平歯車を噛み合わせ、上に、円盤を付け、円盤面周囲に磁石を固定し、磁石の反発力によって回転力とし、発電機を回転し、電力を得る磁力発電装置が、１９８７年頃にテレビ等で発表され、その後、雑誌に、実用化間近で、回転する装置の写真付きの記事が載っている。日本、多くの外国で特許権を取得している。
【発明の開示】
【発明が解決しようとする課題】
【０００３】主円盤回転車と副円盤回転車は、各円盤面の区分円周を２区分〜４区分程度の区分数とし、磁石配置数を少なくする。各円盤面下部に固定する笠歯車の歯間ピッチを大きくでき、歯数を少なくした構造がシンプルであり、耐久性、信頼性ある構造とする。又、超小型装置や、逆に、超大型装置とする事を可能とする。永久磁石のみだけではなく、超電導電磁石を用いて、大電力を得る事ができる構造とする。回転原理に無理がなく、又、対向する磁石の吸引力と、反発力の全てを回転力に転換する回転原理として、原動機並みの高速回転が可能とし、多少の負荷であれば、停止位置より自力回転を可能とする。
【課題を解決するための手段】
【０００４】本発明装置の大型機の場合、主円盤回転車と副円盤回転車の構成は、同一直径の主、副各円盤中心下部をボス部とし、中心に軸穴を付け主軸を通し、キー、ボルトにより各々固定する。主、副各円盤の外周面は、ピッチ円錐角ｘとおなじ傾斜角の円錐面ても良い。又、主、副各円盤下部に、平面形がリング形の各笠歯車を、主、副各円盤下部の段差外円面に各笠歯車下面のフランジ部の内周面を、合わせ取付け、タッピングネジ等により、主、副各円盤下部に固定する。各笠歯車直径は、主、副各円盤直径より歯形部分だけ少し大きめの同一直径、同一歯数とする。【０００５】又、小型の場合、各笠歯車の中心下部をボス部とし、中心に軸穴を付け主軸を通し、キー、ボルトにより各々固定する。各笠歯車の上面に、笠歯車より、歯形部分だけ小さめの中心に軸穴があく同一直径の、主、副各円盤を中心軸に通し、各笠歯車の上面にタッピングネジ等で各々、固定する。【０００６】主、副各円盤面外周より少し内側に、同一直径の区分円周ｇを描き、２以上ので整数区分より、任意の区分数を選択して、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。主円盤の傾斜角αは、笠歯車のピッチ円錐角ｘにより変化する。笠歯車の選択できるピッチ円錐角ｘは、最大３０度で、この時の傾斜角αは９０度である。笠歯車のピッチ円錐角ｘは、加工と組み立てが可能であれば、限りなく、０度近くまで選択できる。傾斜角αを３０度よりａ度減じたｘとする時、傾斜角αは、最大ピッチ円錐角ｘの傾斜角αである９０度よりａ度減じた角度とする。【０００７】又、副円盤における区分円周ｇの各区分点ｅより、逆回転方向に、接線ｆを引き接線ｆを基準として傾斜角βの傾斜線ｊを区分点ｅより引く。又、この傾斜線ｊに対する直角線ｋを引き描く。【０００８】主、副各円盤の傾斜線ｊと直角線ｋ上に主傾斜台と副傾斜台に各々、固定する。主、副各傾斜台の形状は、一体成形であり、分解できないが、各ブロックに分け説明する。主傾斜台は、高さ部分を構成する、平面台ブロックの上に、各々、側面が直角三角形の傾斜ブロックが２個重なった形状であり、更に、この形状に、突出部受け板を付けた形状とする。こうした形状をアルミニューム等のダイキャストの一体成形構造である。【０００９】平面台ブロックは、平面形が正方形であり１辺の長さは、磁極面巾と同じ長さとする。平面台ブロックの高さは、約、突出形磁石の磁極面巾にｓｉｎｘ（ｘは選択したピッチ円錐角）を乗じた値に１．３倍した程度の高さとする。主、副各円盤面における、区分点の傾斜線ｊ、ｋに主傾斜台と、副傾斜台を各々固定した時、各ブロックが、どの様な位置、順序、方向で積み上げられているかを説明すると、まず平面台ブロックＡは、下端２辺を主円盤面区分点の傾斜線ｊ、ｋに合わせ固定し、傾斜ブロックＢは、平面台ブロックＡ面上に、傾斜面下端線を、傾斜線ｊ位置として、又、傾斜側辺下端を直角線ｋ位置として、上昇傾斜して重なる。傾斜ブロックＣは、傾斜ブロックＢ面上に、傾斜面下端線を直角線ｋ位置と���、又、傾斜側辺下端を傾斜線ｊ位置として、上昇傾斜して重なる。傾斜ブロックＢは、選択したピッチ円錐角ｘと同角度とし、傾斜ブロックＣの傾斜角度は、選択したピッチ円錐角ｘの１．５倍とする。【００１０】又、主、副各円盤面における、区分点の傾斜線ｊ、ｋに副傾斜台を各々固定した時、各ブロックが、どの様な位置、順序、方向で積み上げられているかを説明すると、まず、平面台ブロックＤの下端２辺を副円盤面区分点の傾斜線ｊ、ｋに合わせる。傾斜ブロックＥは、平面台ブロックＤ面上に、傾斜面上端線を直角線ｋ位置とし、傾斜側面下端を傾斜線ｊ位置として下降傾斜して重なる。傾斜ブロックＦは、傾斜ブロックＥ面上に、傾斜面上端線を傾斜線ｊ位置とし、傾斜側面下端を直角線ｋ位置として下降傾斜して重なる。傾斜ブロックＥの傾斜角は、選択したピッチ円錐角ｘと同角度とし、傾斜ブロックＦの傾斜角度は、選択したピッチ円錐角ｘの１．５倍とする。【００１１】尚、選択したピッチ円錐角ｘが３０度の時、傾斜ブロックＦの傾斜角度は４５度となる。この為、傾斜ブロックＦの高さ位置は、基準点であるので、傾斜ブロックＦの高さ位置は、基準点であり変える事が出来ない、従って、この傾斜面巾を磁極面巾とするには、下の傾斜ブロックＥの一部端部を削り取り、傾斜角４５斜面とした構成としなければならない。【００１２】主、副各円盤面における、各区分点の傾斜線ｊ、ｋに主傾斜台と、副円盤面における、各区分点の傾斜線ｊ、ｋに副傾斜台を固定した時、各傾斜台の台面上に電磁石、超電導電磁石、フェライト磁石、ネオジム磁石等で作られた主突出形磁石と副突出形磁石を固定する。主、副各突出形磁石の構成形状は、平面図や斜視図にあるように、本体部の磁石は、磁極面巾と磁極面間方向寸法は、同一寸法で正方形とする。Ｎ・Ｓ磁極面の逆位置端には突出部の磁石が付いた構造とする。主突出形磁石の突出部の磁極面巾は、本体部磁極面巾の７０％の巾とし、突出長さは、突出形磁石の本体部磁極面巾の５０％とする。【００１３】他方、副突出形磁石の突出部の磁極面巾と突出長さは、本体部磁極面巾の５０％とする。本体部磁石と突出部磁石の磁石の種類は、同じでも、異なっていても良い。例えば、本体部磁石は、フェライト磁石とし、突出部磁石は電磁石としても、超電導電磁石としても良い。主、副各突出形磁石の高さは、本体部の磁極面巾の２分の１から同一寸法程度とする。【００１４】各区分数におけみ磁極面巾の求め方は、２区分では、区分円周ｇ直径の３分の１巾から４分の１巾より任意の巾とし、３〜５の各区分では、２区分間の弦巾の４分の１から５分の１巾より任意の巾を基本磁極面巾とする。８区分とした時の極面巾は、４区分の基本磁極面巾の２分の１巾とし、又、１６区分の極面巾は、基本磁極面巾の４分の１巾とする。【００１５】主、副各円盤における、主、副各突出形磁石は、各区分点位置に固定した主、副各傾斜台面上の傾斜線ｊ位置に前磁極面とし、又、直角線ｋ位置に、磁極面間方向側面下端として、固定する。主、副各突出形磁石に於ける、前磁極面の前突出部は各区分点の逆位置端に付き、対極の磁極面の後突出部は、各区分点側端に付く。主、副各円盤における、本発明では主、副各突出形磁石の区分点側に位置���る磁極面を前磁極面と称し、対極の磁極面を後磁極面と称する事とする。又、前磁極面の突出部磁石は、前突出部、対極の磁極面の突出部磁石は、後突出部と略称する事がある。【００１６】主円盤における各区分点の主突出形磁石の前磁極面磁極は同一とし、副円盤における各区分点の副突出形磁石の前磁極面の磁極は，主突出形磁石の前磁極面の反対磁極とする。【００１７】又、主、副各天盤下部面の中心穴に、天盤支持管の穴を合わせ、主軸を通し、天盤支持管をフランジ部でネジ等により、主、副各天盤下部面に固定し、天盤面を主軸に対し直角にして支持する。又、主、副各突出形磁石上面は、主、副各連結台下面と接着剤等で接着し、主、副各連結台上面は、主、副各天盤下面に接着剤等で連結する。主、副各達結台は、主、副傾斜台の各傾斜ブロックと平面台ブロックと同じブロックで構成する。ただし、平面台ブロックの高さは、半分であり、各傾斜ブロックの向きは逆向きとする。又、積み上げ順は各傾斜ブロックが先で平面台ブロックが最上部であり、各傾斜ブロック下部部分に突出部受け板を付けた形状構成とし、アルミニューム等のダイキャストの一体成形構造である。電磁石等の電源は、ネオジム磁石を用いた小型の本発明装置を天盤上に搭載し電力を供給する。又は、主軸に回転プラス接触子と主軸端にマイナス接触子設ける。容器側の各位置に、各々、ブラシ保持器を設け、電力を外部より得る。【００１８】笠歯車の噛み合わせ位置は、主円盤面の区分円周ｇの一つの区分点ｅを噛み合わせ位置とし印付け、この位置を通る中心線上に、笠歯車の１歯間ピッチの谷溝中心を合わせ、この位置に刻印を付け、主円盤３下面に笠歯車をボルト等により固定する。その中心線上に印をつける。笠歯車の取付け時、笠歯車の歯間の谷溝中心とし、その位置に刻印をつけ、主円盤下面に笠歯車をタッピングネジ等により固定する。【００１９】又、副円盤面は、副円盤面における区分円周ｇ上の１点を噛み合わせ点ａとし印を付け、又、磁極面巾ｔにｃｏｓｘを乗じた値に１．５倍した値をａ点からのずれ巾ｚとし、ａ点より、区分円周ｇの逆回転方向にコンパスで区分し、その位置を、区分点ｅの基準として、他の区分点ｅを描く。又、笠歯車を副円盤下面に取付け時、噛み合わせ点ａを通る中心線に笠歯車の１歯山頂部中心を合わせ、その１歯山位置に刻印し、タッピングネジ等により副円盤下面に固定する。主、副各円盤回転車を、装置容器の各軸受により、各主軸を支持する時、主、副各円盤回転車の笠歯車の刻印歯山と刻印歯谷を噛み合わせ支持する。【００２０】装置容外上部の主円盤回転車の主軸位置に、出力用笠歯車室を固定し、その側壁に軸受を設け、この軸受に軸を通し、軸端にピッチ円錐角４５度の出力用笠歯車を固定する。他方主円盤回転車の主軸に出力用笠歯車を取付け、２個の出力用笠歯車の歯を噛み合わせる。又、出力用笠歯車軸方向の装置容器外上部に、発電機台を固定し、台上に発電機を固定する。発電機軸はクラッチに接続し、クラッチの出力軸は、出力用笠歯車軸と軸継手により連結される。又、出力用笠歯車軸に、ディスクプレートを固定、その位置に、ディスクブレーキ装置を固定する。出力用笠歯車室外の主軸上端にフライホィールを取り付ける構造とする���こうした構造を特徴とする磁力回転発電装置。
【発明を実施するための最良の形態】
【００２１】以下、本発明の実施の形態を図面に基づき詳細に説明する。【００２２】図１〜図３は本発明本体の第１の実施の形態に係る図である。図１は図２の主円盤回転車１部分の断面線Ｂ−Ｂ線方向と副円盤回転車２部分の断面線Ｃ−Ｃ方向で、主円盤面と副盤合面を透視し、各区分点の傾斜線ｊと直角線ｋ上の平面に、主、副各突出形磁石８、９が位置したと想定した時を合成した断面透視平面図であり、図２は、図１の断面線Ａ−Ａ線方向の断面立面図である。図３は、図２の断面線Ｄ−Ｄ線方向の断面立面図である。笠歯車３のピッチ円錘角ｘは、１５度であり、区分数は３区分である。又、突出形磁石８の本体磁石は、フェライト磁石とし、突出部磁石８ａは、電磁石とする。電磁石は磁力が強力であり、大電力が得られる。【００２３】図１〜図３にあるように、主円盤回転車１と副円盤回転車２は、同一直径の主、副各円盤３、４とその各円盤中心下部をボス部とし、ボス部中心にあく軸穴に主軸１０を通し、ボルトネジ、キー等により固定する。又、リング状笠歯車５は、リング状で円盤直径より、歯部分だけ大きい直径寸法であり、同一直径、同一歯数とする。このリング状笠歯車５は、各主、副円盤３、４下部面に設けた円周段差内周面に、笠歯車５のフランジ部外周面を嵌合わせ、ボルトネジ等で固定する。笠歯車５は、基本部材は、アルミニューム、真鍮、ステンレスで機械加工して作る。アルミニュームの場合、歯形面部分は、摩耗に強い部材等で補強した構造とする。【００２４】図１にあるように、主、副各円盤３、４面外周より少し内側に、同一直径の区分円周ｇを描き、区分円周ｇを３区分で等区分する。主円盤３における区分円周ｇの各区分点ｅより、回転方向に、接線ｆを引き、接線ｆを基準として傾斜角αを７５度とした傾斜線ｊを各区分点より引く。又、この傾斜線ｊに対する直角線ｋを各区分点ｅより引く。【００２５】本発明における回転可能な笠歯車５の選択できる最大ピッチ円錐角ｘは３０度であり、この時、傾斜角αは、９０度とする。ピッチ円錐角ｘを３０度よりａ度減じたｘ１とする時、傾斜角αは、９０度よりａ度減じた値の角度となる。これを数式を入れ２例述べると、ピッチ円錐角ｘ１を５度とした時、ａは次の数式、ａ＝３０−ｘ１＝３０−５＝２５となる。これは次の数式α＝９０−ａによりα＝９０−２５＝６５で傾斜角αは６５度となる。又、ピッチ円錐角ｘ１を１５度とした時、ａ＝３０−ｘ１＝３０−１５＝１５となり、これをα＝９０−ａ＝９０−１５＝７５で傾斜角αは７５とする。従って、図１傾斜角αは７５度とする。【００２６】又、副円盤４における区分円周ｇの各区分点ｅより、逆回転方向に、接線ｆを引き、接線ｆを基準として、傾斜角４５の傾斜線ｊを区分点ｅより引く。又、区分点ｅよりこの傾斜線ｊに対する直角線ｋを区分点より引く。傾斜角βは、ピッチ円錐角ｘをいかなる角度選択しても４５度とする。従って図１の傾斜角βは、４５度とする。【００２７】図４は、区分円周ｇの区分点に主傾斜台６を固定した時、各ブロックに分解した時の斜視図であり、平面台ブロック６−Ａは、平面形が正方形であり、１辺の長さは、磁極面巾ｔと同じ長さとするが、傾斜ブロック６−Ｂの直角線ｋ位置側の辺は、図４のように、ｃｏ��ｘに磁極面巾ｔを乗じた値巾としても良い。高さは、突出形磁石８の磁極面巾ｔに、ｓｉｎｘ（ｘは選択したピッチ円錐角）を乗じた値を約、１．３倍した程度の高さとする。図１突出形磁石８の磁極面巾を仮に、２０ｃｍとすると、ｈ＝２０×ｓｉｎ１５×１．３＝２０×０．２５９×１．３＝６．７３４で高さｈは約６．５ｃｍとなる。【００２８】平面台ブロック６−Ａの２辺を主円盤各区分点ｅの傾斜線ｊ、と直角線ｋに合わせ固定する。次に、傾斜ブロック６−Ｂは、側面が直角３角形の傾斜ブロックであり、傾斜面下端線を傾斜線ｊ位置とし、又、傾斜側辺下端を直角線ｋ位置として上昇傾斜して、平面台ブロック６−Ａ面上に重なる。次に、傾斜ブロック６−Ｃは、側面が直角３角形の傾斜ブロックであり、傾斜面下端線を直角線ｋ位置とし、又、傾斜側辺下端を傾斜線ｊ位置として上昇傾斜して、傾斜ブロックＢ面上に重なる。尚、傾斜ブロック６−Ｂと傾斜ブロック６−Ｃの傾斜面の長さは磁極面巾と同じとする。傾斜ブロック６−Ｂは、選択したピッチ円錐角ｘと同角度のｘ１で１５度とする。傾斜ブロック６−Ｃの傾斜角度ｙは、選択したピッチ円錐角ｘの１．５倍で２２，５度とする。【００２９】図５は区分円周ｇの区分点に、主傾斜台６を固定した時の斜視図であり、主傾斜台６は、主円盤３の各区分点ｅに描いた傾斜線ｊ上と直角線ｋ上に、底面２辺位置として、固定される。主傾斜台６は、下から平面台ブロック６−Ａに、側面形が直角三角形とする傾斜ブロック６−Ｂと傾斜ブロック６−Ｃが積み上がった一体成形の構成である。図６は、突出部受け板６ａが付いた主傾斜台６の斜視図である。【００３０】図７は、区分円周ｇの区分点に副傾斜台７を固定した時、副傾斜台７を各ブロックに分解した時の斜視図であり、副傾斜台７の平面台ブロック７−Ｄは、平面台ブロック６−Ａと同じであり、平面が正方形であり、１辺の長さは、磁極面巾と同じ長さとするが、傾斜ブロック６−Ｅの傾斜線ｊ位置側の辺は、図７のように、ｃｏｓｘに磁極面巾ｔを乗じた値の巾としても良い。高さは、平面台ブロック６−Ａと同じで、突出形磁石の磁極面巾にｓｉｎｘ（ｘは選択したピッチ円錐角）を乗じた値を約１．３倍した程度の高さとする。【００３１】平面台ブロック７−Ｄは、２辺を副円盤における各区分点ｅの傾斜線ｊ、ｋに合わせる。次に、傾斜ブロック７−Ｅは、側面が直角３角形とする傾斜ブロックであり、傾斜上端線下端を直角線ｋ位置とし、又、傾斜面側辺下端を傾斜線ｊ位置として下降傾斜して、平面台ブロック７−Ｄ上面に重なる。次に、傾斜ブロック７−Ｆは、側面が直角３角形とする傾斜ブロックであり、傾斜面上端線を傾斜線ｊ位置とし、又、傾斜面側辺下端を直角線ｋ位置として下降傾斜して、傾斜ブロック７−Ｅ上面に重なる。傾斜ブロック５−Ｅの傾斜角度は、選択したピッチ円錐角ｘと同角度のｘ１で１５度とする。又、傾斜ブロック５−Ｆの傾斜角度は、選択したピッチ円錐角１５度の１．５倍で２２，５度とする。尚、突出部受け板、６ａ、７ａの周囲に取付け枠を設けても良い。【００３２】図８は、区分円周ｇの区分点に、副傾斜台７を固定した時の斜視図であり、ｅは区分点であり、矢印は副円盤４の回転方向を示す。ｆは、副円盤４の逆回転方向に引いた接線であり、接線ｆを基準線として、傾斜角βを４５度として区分点よりｊ線を引き、ｊ線を基準線として直角線ｋを区分点より描く。傾斜角βは、ピッチ円錐角ｘをいかなる角度に選択しても４５度とする。図９は、突出部受け板７ａが付いた副傾斜台７の斜視図である。【００３３】図１において、主、副各円盤３、４面における、各区分点ｅの傾斜線ｊ、ｋに、主傾斜台６と、副傾斜台を固定した時、各傾斜台の台面上に電磁石、超電導電磁石、フェライト磁石、ネオジム磁石等で作られた主、副各突出形磁石８、９を各々固定する。この時、区分点側の前磁極面には、区分点側の逆位置端に突出部磁石８ａが突き出し、対極の後磁極面には、区分点側端に突出部磁石８ａが突き出している。又、図１、図１６、図１８にあるように、主円盤３の各区分点の前磁極面の磁極は、全て、同一磁極とする。又、副円盤４の各区分点の前磁極は、全て主円盤３の反対磁極とする。【００３４】主、副各突出形磁石８、９の構成形状は、斜視図の図１４、図１５にあるように、本体部の磁石の磁極面巾ｔと磁極面間方向寸法ｍは、同一寸法で正方形とし、Ｎ・Ｓ磁極面の逆位置端には、各々、突出部磁石８ａ、９ａ、が付いた構造とする。主突出形磁石８の突出部の磁極面巾は、本体部分磁極面巾ｔの７０％の巾ａとし、突出長さｂは、本体部分磁極面巾ｔの５０％とする。例えば、図１の主突出形磁石８の磁極面巾ｔを２０ｃｍとした時、突出部磁石の磁極面巾ａは、ａ＝２０×０．７＝１４で１４ｃｍであり突出長さｂはｂ＝２０×０．５＝１０で１０ｃｍとなる。本体部磁石と突出部磁石の磁石の種類は、同じでも、異なっていても良い。例えば、本体部磁石は、電磁石とし、突出部磁石も電磁石としても良い。しかし、なるべく、本体部分磁石より突出部磁石の方を強力な磁力の磁石とする。これは、主な回転出力が突出部磁石の磁力によるからである。第１の実施の形態では、本体磁石部分はフェライト磁石であり、突出部磁石は、電磁石で構成するが、小型装置では、ネオジム磁石としても良い。主、副各突出形磁石８、９の高さｈは、本体部の磁極面巾ｔの２分の１から磁極面巾ｔ程度とする。図１の主突出形磁石８の磁極面巾ｔを２０ｃｍとすれば、高さｈは、１０ｃｍから最大で２０ｃｍとなる。突出部磁石８ａ、９ａは、突出部８ａ、９ａと略称することがある。【００３５】市販の電磁石は、およそ直径９ｃｍの円形電磁石で、吸引力は６０ｋｇもある。この時、電源は、単１乾電池の１．５ｖである。図１〜図３の突出部磁石８ａ、９ａは、電磁石で構成する。電磁石の電源は装置容器１７外より取る。図２にあるように、主軸１０に回転プラス接触子３１を設け、装置容器１７壁面に、プラスブラシ保持器３０を設け、ブラシを接触させる。又、回転マイナス接触面子３３は、主軸１０下部端に設け、装置容器１７壁面に、マイナスブラシ保持器３２を設ける。【００３６】図２、図３、図２２にあるように、主、副傾斜台６、７面上に固定された各突出形磁石８の上部面に、主連結台１３、副連結台１４、を接着剤、等で固定する。又、主、副各天盤１１、１２下部面の中心穴に、天盤支持管１３の穴を合わせ、主軸１０を通し、天盤支持管１３をフランジ部でネジ等により、主、副各天盤１１、１２に���定する。又、主、副各連結台１４、１５の上面は、各主、副天盤１１、１２の下部面に接着剤等で固定する。【００３７】図１０は、  主連結台１４の各傾斜ブロックに分解された斜視図である。傾斜ブロック１４−Ｂ、の上面に傾斜ブロック１４−Ｃが付き、平面台ブロック１４−Ａの順となる。平面台ブロック１４−Ａ、１４−Ｄの高さｈは、平面台ブロック６−Ａの２分の１とする。従って、平面台ブロック６−Ａの高さ６．５ｃｍの時、平面台ブロック各１４−Ａ、の高さｈは約３．２ｃｍとなる。又主連結台１４の傾斜ブロックは、主傾斜台６における、傾斜ブロックと傾斜方向が真逆方向で積み上がり、平面台ブロック１４−Ａが上端に位置する一体成形構造である。又、図１１は、突出部受け板１４ａが付いた主連結台１４の斜視図である。【００３８】図１２は、副連結台１５の各傾斜ブロックに分解された斜視図である。傾斜ブロック１５−Ｅの上に、傾斜ブロック１５−Ｆが付く。これは、副傾斜台７の傾斜ブロック７−Ｅ、傾斜ブロック７−Ｆの傾斜方向と真逆方向で積み上がり、平面台ブロック１５−Ｄの順となった構成の一体成形構造である。又、図１３は、突出部受け板１５ａが付いた副連結台１５の斜視図である。突出部受け板１４ａ、１５ａの周囲に取付け枠を付けても良い。【００３９】又、装置容器１７外上部に、出力用笠歯車室２１を設け、壁面にラジアル軸受１９を取付け、軸をラジアル軸受１９で支持し、軸端に出力用笠歯車２２を固定する。又、装置容器１７外上部に、発電機取付け台２４を設け、台上に発電機２５とクラッチ２３を固定する。発電機２５軸はクラッチ２３に接続し、クラッチ２３の出力軸は、出力用笠歯車２２軸と軸継手２０により連結される。主円盤回転車１の主軸１０に、ピッチ円錐角４５度の出力用笠歯車２２を取り付け、両出力用笠歯車２２を噛み合わせる。出力用笠歯車室２１上部に出た主軸１０にフライホイール１６を設ける。又、出力用笠歯車２２軸に、ディスクプレート２９を固定し、ディスクブレーキ装置２８を固定する。【００４０】主円盤３の笠歯車５の噛み合わせ位置は、主円盤３において、区分円周ｇの一つの区分点ｅを噛み合わせ位置とし印付け、この位置を通る中心線上に、笠歯車５の１歯間ピッチの谷溝中心を合わせ、この位置に刻印を付け、主円盤３下面に笠歯車５をボルト等により固定する。又、副円盤４の笠歯車５の噛み合わせ位置は、副円盤４の区分円周ｇの１点ａを噛み合わせ点とし印を付ける。噛み合わせ点ａより、磁極面巾ｔにｃｏｓｘを乗じた値に１．５倍した値の巾ｚをコンパスに取り、副円盤４の逆回転方向で、区分円周ｇ上をコンパスで区分し、区分点ｅとし、この区分点ｅを基準として、中心角１２０度間隔で、他の２区分点ｅを描く。副円盤４下面にに笠歯車５を取付ける時、噛み合わせ印点ａを通る中心線上を、笠歯車５の歯山頂部位置とし、この位置に刻印を付け、笠歯車５を副円盤４にボルトネジ等により固定する。【００４１】巾ｚは、仮に、図１の磁極面巾ｔを２０ｃｍとした時、ピッチ円錐角ｘを１５度とした時、ｚ巾を計算式で求めると、ｚ＝（ｃｏｓｘ×ｔ）×１．５＝（ｃｏｓ１５×２０）×１．５＝（０，９６５×２０）×１．５＝１９．３×１．５＝２８．９５でｚ巾は約２９ｃｍとなる。副円盤４の区分円周ｇの１点ａより、巾ｚの２９ｃｍをコンパスに取り、副円盤４の逆回転方向に、コンパスで区分し、この位置を区分点ｅとする。この区分点ｅを通る中心線を基準として、中心角１２０度間隔で他の２区分点を区分し３区分点ｅとする。主、副各円盤回転車１、２は、装置容器１７の各スラスト軸受１８、ラジアル１９に、各主軸９を支持する時、各笠歯車５の刻印ある歯谷と歯山を噛み合わせ、各主、副円盤回転車１、２の主軸９を支持する。【００４２】本発明装置を起動する時は、クラッチ２３を切った状態で、ディスクブレーキ装置２８のロックを切ると、主円盤回転車１と副円盤回転車２は、ゆっくりと回転を始める。回転数が上がった時点で、クラッチ２３を入れると発電を開始する。装置を停止する時は、クラッチ２３を切って、ディスクブレーキ装置２８をかければ停止し、長期間停止の時、ロック装置をかける。主、副各傾斜台６、７や主、副各円盤３、４や笠歯車５、主、副各連結台部１３、１４、主、副各天盤１１、１２等は、磁力が作用しない素材とする。クラッチ２２はアクチュエイターにより作動し、コンピューターにより制御する。【００４３】第１の実施の形態では、２区分とすれば、電源用小型発電本発明装置２７を天盤上に搭載して、直流電力供給することも可能である。主、副各円盤回転車１、２は、装置容器１４のスラスト各軸受１８、ラジアル軸受１９、により、各主軸１０を支持し、笠歯車５を噛み合わせる。こうした構造を特徴とする磁力回転発電装置。【００４４】図１６と図１７は、本発明本体の第２の実施の形態に係る図であり、主、副各突出形磁石８、９、の本体磁石はフエライト磁石、又は電磁石、又は超電導電磁石より選択し、突出部磁石は、全ての本体磁石選択において、超電導電磁石構成とする。図１６は、図１７の主円盤回転車１部分の断面線Ｂ−Ｂ線方向と、副円盤回転車２部分の断面線Ｃ−Ｃ方向で、主円盤３面と副円盤４面を透視し、各区分点の傾斜線ｊと直角線ｋ上の平面に主、副各突出形磁石８、９、を固定した時の合成した断面透視平面図であり、図１７は、図１６の断面線Ａ−Ａ線方向の断面立面図である。笠歯車５のピッチ円錐角ｘは、１０度である。区分数は、２区分とする。【００４５】図１６において、矢印は主、副各円盤３、４の回転方向を示す。主円盤３の各区分点ｅより回転方向に、接線ｆを引き、接線ｆを基準として、傾斜角αを７０度とする、傾斜線ｊを区分点ｅより引き描く。又この傾斜線ｊに対する直角線ｋを区分点ｅより引き描く。区分点ｅの傾斜線ｊ線と直角線ｋ上に主傾斜台６を配置する。主傾斜台６上面に、主突出形磁石８が前磁極面を傾斜線ｊ位置とし、磁極面間方向側面を直角線ｋ位置として固定する。【００４６】又、副円盤４の各区分点より、逆回転方向に、接線ｆを引き、接線ｆを基準として、傾斜角βを４５度で、傾斜線ｊを区分点より引く。又この傾斜線ｊに対する直角線ｋを区分点より引き、描く。区分点ｅの傾斜線ｊ線と直角線ｋ上に副主傾斜台７を配置する。尚、主、副各傾斜台６、７の細部説明は、第１形態で説明の為、省略する。副突出形磁石９は、前磁極面下端を傾斜線ｊ位置とし、又、磁極面間方向側面下端を直角線ｋ位置として、副傾斜台７面上に固定��る。主、副各天盤１１、１２上に電源用小型本発明装置２７を固定し、冷凍機２６も固定する。冷凍機２６は、ヘリウムガスの再液化用として用いる。又、電源を装置容器外部よりとる時、主軸１０に回転プラス接触子３１、や主軸１０下部端に設け、回転マイナス接触面子３３を付け、プラスブラシ保持器３０マイナスブラシ保持器３２を付ける。こうした構造を特徴とする第２の実施の形態の磁力回転発電装置。【００４７】図１８は、本発明本体の第３の実施の形態に係る図であり、図２における主円盤回転車１部分の断面線Ｂ−Ｂ線方向と、副円盤回転車２部分の断面線Ｃ−Ｃ方向で、主円盤３面と副円盤４面を透視し、各区分点の傾斜線ｊと直角線ｋ上の平面に主、副各突出形磁石８、９、を固定した時の合成した断面透視平面図であり、区分数は、４区分とし笠歯車５のピッチ円錐角ｘは、３０度である。主円盤３の各区分点ｅより回転方向に、接線ｆを引き、接線ｆより傾斜角αを９０度で、傾斜線ｊと、直角線ｋを区分点ｅ描き、又、副円盤４の各区分点より、逆回転方向に、接線ｆを引き、接線ｆを基準として、傾斜角βを４５度で、傾斜線ｊと直角線ｋを区分点ｅより描く。傾斜線ｊ線と直角線ｋ上に主、副各傾斜台６、主、副各傾斜台７を配置する。主、副各傾斜台６、７の細部の説明は、第１の実施形態と同じで省略。主、副各傾斜台７の台上に、主、副各突出形磁石８、９が固定される。こうした構造を特徴とする第３の実施の形態の磁力回転発電装置。【００４８】図１９〜図２３は、本発明の第１の実施形態の回転原理の説明図である。ピッチ円錐角ｘは１５度であり、区分数は３区分である。図に於て、主円盤３に通る２点中心線０−０より、主円盤３面の向かって右側の側を入り口側と呼び、向かって左側を出口側と呼ぶ。又、回転原理は、複雑を避けるため１対の対向組の回転の流れにより説明する。【００４９】図１９は、主円盤３上の主突出形磁石８（Ａ）の区分点が、２点中心を通る中心線０−０より入り口側で、中心角εが４５度位置した図であり、副円盤４上の副突出形磁石９（Ｄ）とにより、回転ポテンシャル位置となる。主円盤３の突出形磁石８（Ａ）の前表突出部８ａのＮ極と、副円盤４上の前磁極面Ｓ極との吸引力により副突出形磁石９（Ｄ）に回転力Ｐ１が作用する。回転力Ｐ１により図２０位置まで回転する。図１９の位置は区分数が２区分、４区分、場合でも、ピッチ円錐角ｘを変えた時ても、回転ポテンシャル位置となる。８区分では、この回転ポテンシャル位置の中心角εが、２２．５度、１２区分では、中心角εが、１１．２５度となる。【００５０】図２０は、主円盤３上の突出形磁石８（Ａ）の区分点ｅが、中心角εが０度とする位置の図である。この位置で副突出形磁石９（Ｄ）の回転力Ｐ１は主突出形磁石８（Ａ）に逆回転力が作用する為、消滅する。しかし、この位置では主突出形磁石８（Ａ）の前突出部８ａのＮ磁極と、副円盤４上の突出形磁石９（Ｄ）の後突出部９ａのＮ極との反発力で、主突出形磁石８（Ａ）に回転力Ｐ２が作用する。この回転力Ｐ２は、図２０の位置より、中心角εが１５度程度回転すると、突出形磁石９（Ｄ）の後突出部９ａＮ極は、主突出形磁石８（Ａ）の前磁極面Ｎ極との反発力による回転力Ｐ２となり、図２１位置まで回転する。尚、図２０の位置は、区分数が２区分、４区分、場合でも、又、笠歯車のピッチ円錐角ｘを変えても、Ｐ２により、図２１位置まで回転する。【００５１】図２１は、主円盤３上の突出形磁石８（Ａ）の区分点ｅが、中心角εが３０度とする位置の図である。この位置で回転力Ｐ２は消滅する。しかし、主円盤３上の突出形磁石８（Ａ）の後突出部８ａのＳ極と、副円盤４上の突出形磁石８（Ｄ）の前磁極面のＳ極との反発力により突出形磁石８（Ａ）に回転力Ｐ３と、突出形磁石８（Ｄ）にも回転力Ｐ４が作用する。この回転力Ｐ３、Ｐ４により、図２２位置まで回転する。尚、図２１の位置は区分数が２区分、４区分、でも、又、笠歯車のピッチ円錐角ｘを変えた時ても、尚、８区分では、この中心角ε位置が１５度になり、１２区分では、中心角εが、７．５度となる。【００５２】図２２は、主円盤３上の突出形磁石６（Ａ）の区分点ｅが、２中心点を通る０−０中心線より、中心角εが、６０度出口側に位置する時であり、主突出形磁石８（Ａ）の後突出部８ａのＳ極と、副突出形磁石９（Ｄ）の前突出部のＳ極との反発力により、主突出形磁石８（Ａ）に回転力Ｐ５と、副突出形磁石９（Ｄ）にも回転力Ｐ６が作用する。この回転力Ｐ５、Ｐ６は、図２３の位置まで持続する。又、回転力Ｐ３、Ｐ４は、この位置で持続するが、出口側通過中心角εが９０度の位置で消滅する。図２２の位置は、区分数が２区分、４区分の場合でも、又、笠歯車のピッチ円錐角ｘを変えた時でも、図２３位置まで回転する。尚、８区分では中心角εが３０度となり、１２区分では、中心角εが、１５度となる。【００５３】図２３は、主円盤３上の突出形磁石６（Ａ）の区分点ｅが、２中心点を通る０−０中心線より、中心角εが、１１０度出口側に位置する時であり、主突出形磁石８（Ａ）の回転力Ｐ５と、副突出形磁石９（Ｄ）の回転力Ｐ６は、消滅する。【００５４】回転ポテンシャリティは、およそ共通中心線０−０より入口側中心角εが４５度と出口側中心角ε７５度を加えると１２０度の中心角となる。出口側中心角εが７５度の時に、次の対抗区分である主円盤３の突出形磁石８（Ｂ）と副円盤４の突出形磁石８（Ｅ）の２組目は、回転ポテンシャル位置の図１９の位置となる。従って、出口側中心角ε１１０度より出口側中心角ε７５度を減じた３５度の中心角の間は、常に、２組目対向の回転力が重畳される。尚。図１８の区分数が４区分の２区分間の中心角は９０度であるので、１組目が出口側中心角ε４５度に位置した時、次の対向組が回転ポテンシャル位置となる。出口側中心角ε１１０度より出口側中心角ε４５度を減じた中心角度６５度が、常に、２組目対向の回転力が重畳され回転出力となり出力は更に、強大となる。【００５５】次の対抗区分である主円盤３の突出形磁石８（Ｂ）と副円盤２の突出形磁石８（Ｅ）が、図１９位置における回転ポテンシャル位置となり、同じように回転力を作用して、次の対向区分である主円盤３の突出形磁石８（Ｃ）と副円盤４の突出形磁石８（Ｆ）となり、回転のサイクルは、持続する。永久機関は不可能とするが、現に、ネオジム磁石は、全て永久磁石が存在し、手作りの木製の実験装置が回転している事が証明する。
【産業上の利用可能性】
【００５６】超電導電磁石や電磁石による大電力発電が可能となり、長距離送電設備も必要なく都市部に少スペース、安全で、自然に優しい発電設備を設ける事ができる。電気自動車は、誰もが、ガソリン補給の心配なく使用できる。又、本格的な宇宙時代の推進エネルギーとして、誰もが宇宙に行ける時代となる。
【図面の簡単な説明】
【００５７】
【図１】図１は発明本体で、第１実施の形態に係る図であり、図２のＢ−Ｂ線方向の主円盤回転車１部分断面と、Ｃ−Ｃ線方向の副円盤回転車２部分の断面であり、各々、主、副各円盤面を透視し、各区分点の傾斜線ｊと直角線ｋ上に突出形磁石８を固定した時の合成した断面透視平面図。
【図２】図２は、発明本体図１のＡ−Ａ線方向の断面立面図。
【図３】図３は、発明本体図２のＤ−Ｄ線方向の断面側面図である。
【図４】図４は、区分点ｅ位置における主傾斜台６を各ブロックに分解した時の斜視図。
【図５】図５は、区分点ｅ位置における主傾斜台６の斜視図
【図６】図６は、突出部支持板６ａを付けた主傾斜台６の斜視図
【図７】図７は、区分点位置における副傾斜台７を各ブロックに分解した時の斜視図。
【図８】図８は、区分点位置における副傾斜台７の斜視図。
【図９】図９は、突出部支持板６ａを付けた主傾斜台６の斜視図
【図１０】図１０は主連結部１１を各ブロックに分解した時の斜視図。
【図１１】図１１は、突出部支持板６ａを付けた主連結部１１の斜視図
【図１２】図１２は、副連結部１４を各ブロックに分解した時の斜視図主
【図１３】図１３は突出部支持板６ａを付けた副連結部１４の斜視図
【図１４】図１４は、主突出形磁石８の斜視図
【図１５】図１５は、副主突出形磁石９の斜視図
【図１６】図１６は、発明本体で、第２実施の形態に係る図であり、図１７のＢ−Ｂ線方向の主円盤回転車１部分断面と、Ｃ−Ｃ線方向の副円盤回転車２部分の断面であり、各々、主、副各円盤面を透視し、各区分点の傾斜線ｊと直角線ｋ上に主突出形磁石８と副突出形磁石９を固定した時の合成した断面透視平面図。
【図１７】図１７は発明本体図１６のＡ−Ａ線方向の断面立面図。
【図１８】図１８は、発明本体で、第３実施の形態に係る図であり、図１６と同じ位置の断面透視平面図。
【図１９】図１９は、本発明の第１の実施形態の回転原理の説明図であり、主円盤３の主突出形磁石８（Ａ）の区分点ｅを通る中心線が、２点を通る中心線０−０上より、入り口側に、中心角εを４５度の位置した時の図である。矢印は主円盤３、副円盤４の回転方向である。
【図２０】図１２０は、主円盤３における主突出形磁石６（Ａ）の区分点ｅを通る中心線が、２点を通る中心線０−０上とし中心角εを０度に位置した図である。
【図２１】図２１は、主円盤３における突出形磁石８（Ａ）の区分点ｅを通る中心線が、２点を通る中心線０−０上より、中心角εを出口側３０度とした位置とする図である。
【図２２】図２２は、主円盤３における主突出形磁石６（Ａ）の区分点ｅを通る中心線が、２点を通る中心線０−０上より、中心角εを出口側６０度に位置した図である。
【図２３】図２３は、主円盤３における主突出形磁石６（Ａ）の区分点ｅを通る中心線が、２点を通る中心線０−０上より、中心角εを、出口側１１０度に位置した図である。
【図２４】図２４は、図２１の断面線Ａ−Ａ線方向の断面立面図である。
【符号の説明】
【００５８】１                主円盤回転車
２                副円盤回転車
３                主円盤
４                副円盤
５                笠歯車
６                主傾斜台
６ａ              突出部受け板
６−Ａ            主傾斜台の平面台ブロック
６−Ｂ            主傾斜台の傾斜ブロック
６−Ｃ            主傾斜台の傾斜ブロック
７                副傾斜台
７ａ              突出部受け板
７−Ｄ            副傾斜台の平面台ブロック
７−Ｅ            副傾斜台の傾斜ブロック
７−Ｆ            副傾斜台の傾斜ブロック
８                主突出形磁石
８ａ              突出部磁石
９                副突出形磁石
９ａ              突出部磁石
１０              主軸
１１              主天盤
１２              副天盤
１３              天盤支持管
１４              主連結台
１４ａ            突出部受け板
１４−Ａ          主連結台の平面台ブロック
１４−Ｂ          主連結台の傾斜ブロック
１４−Ｃ          主連結台の傾斜ブロック
１５              副連結台
１５ａ            突出部受け板
１５−Ｄ          副連結台の平面台ブロック
１５−Ｅ          副連結台の傾斜ブロック
１５−Ｆ          副連結台の傾斜ブロック
１６              フライホィール
１７              装置容器
１８              スラスト軸受
１９              ラジアル軸受
２０              軸継手
２１              出力用笠歯車室
２２              出力用笠歯車
２３              クラッチ
２４              発電機取り付け台
２５              発電機
２６              冷凍機
２７              電源用小型本発明装置
２８              ディスクブレーキ装置
２９              ブレーキディスク
３０              プラスブシ保持器
３１              回転プラス接触面子
３２              マイナスブラシ保持器
３３              回転マイナス接触面子
【図１】
2018064440.tif 000003
【図２】
2018064440.tif 000004
【図３】
2018064440.tif 000005
【図４】
2018064440.tif 000006
【図５】
2018064440.tif 000007
【図６】
2018064440.tif 000008
【図７】
2018064440.tif 000009
【図８】
2018064440.tif 000010
【図９】
2018064440.tif 000011
【図１０】
2018064440.tif 000012
【図１１】
2018064440.tif 000013
【図１２】
2018064440.tif 000014
【図１３】
2018064440.tif 000015
【図１４】
2018064440.tif 000016
【図１５】
2018064440.tif 000017
【図１６】
2018064440.tif 000018
【図１７】
2018064440.tif 000019
【図１８】
2018064440.tif 000020
【図１９】
2018064440.tif 000021
【図２０】
2018064440.tif 000022
【図２１】
2018064440.tif 000023
【図２２】
2018064440.tif 000024
【図２３】
2018064440.tif 000025
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
本発明装置の大型機の場合、主円盤回転車と副円盤回転車の構成は、同一直径の主、副各円盤中心下部をボス部とし、中心に軸穴を付け、軸穴に主軸を通し、キー、ボルトにより各々固定する。主、副各円盤の円周側面は、選択した各笠歯車のピッチ円錐角ｘと同じ傾斜角側面としても良い。又、主、副各円盤下部に、平面形がリング形の各笠歯車を、主、副各円盤下部の段差外円周面に、各リング形笠歯車の内周面フランジ部を、合わせ、心出ししてタッピングネジ等により、主、副各円盤下部に固定する。各笠歯車直径は、主、副各円盤直径より歯形部分だけ少し大きめの同一直径、同一歯数とする。笠歯車は数分割して、耐摩耗性の樹脂等で成型加工しても良い。又、小型の場合、各笠歯車の中心下部をボス部とし、中心にあく軸穴に主軸を通し、キー、ボルトにより各々固定する。各笠歯車の上面に、中心に軸穴があく主副各円盤を主軸に通し、各笠歯車の上面にタッピングネジ等で各々、固定する。主、副各円盤直径は、笠歯車上面直径より歯形部分だけ小さい直径とする。笠歯車の最少ピッチ円錐角ｘは、加工と組み立てが可能であれば、限りなく、０度近くまで選択できる。主、副各円盤面に外周より少し内側に、同一直径の区分円周ｇを描き、２区分、３区分、４区分を基本区分数とする。又、４区分以上の整数区分で、任意の区分数を選択できる。選択した区分数で、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。主円盤の傾斜角αは、笠歯車のピッチ円錐角ｘにより変化する。笠歯車の選択できるピッチ円錐角ｘは、最大３０度で、この時の傾斜角αは９０度である。笠歯車のピッチ円錐角ｘを３０度よりａ度減じたｘとする時、傾斜角αは、最大ピッチ円錐角ｘの傾斜角αである９０度よりａ度減じた角度とする。又、副円盤における区分円周ｇの各区分点ｅより、逆回転方向に、接線ｆを引き接線ｆを基準として傾斜角βの傾斜線ｊを区分点ｅより引く。又、この傾斜線ｊに対する直角線ｋを引き描く。傾斜角βは、笠歯車のピッチ円錐角ｘが如何なる角度に於ても４５度とする。主、副各円盤の傾斜線ｊと直角線ｋ上に主傾斜台と副傾斜台を各々、固定する。各々の台上に主突出形磁石と副突出形磁石を配置固定する。主、副各突出形磁石の磁極面巾は、区分円周ｇの２区分間の弦巾の２５％を磁極面巾とする。主、副各傾斜台の形状は、一体成形であり、分解できないが、各ブロックに分け説明する。主、副各傾斜台は、高さ部分を構成する、平面台ブロックの上に、各々、側面が直角三角形の傾斜ブロックが２個重なった形状であり、更に、この形状に、突出部受け板を付けた形状とする。こうした形状をプラスチック成形や、アルミニューム等のダイキャストの一体成形構造である。平面台ブロックは、平面形が正方形であり主、副各傾斜台共に、１辺の長さは、主、副各突出形磁石の磁極面巾と同じ長さとする。平面台ブロックの高さは、約、突出形磁石の磁極面巾にｓｉｎｘ（ｘは選択したピッチ円錐角）を乗じた値に１．３倍した程度の高さとする。主、円盤面における、区分点の傾斜線ｊ、���に主傾斜台と、副傾斜台を各々固定した時、各ブロックが、どの様な位置、順序、方向で積み上げられているかを説明すると、まず、平面台ブロックＡは、ブロック角を区分点とし、下端２辺を主円盤面区分点の傾斜線ｊ、直角線ｋに合わせ固定し、傾斜ブロックＢは、平面台ブロックＡ面上に、傾斜面下端線を、傾斜線ｊ位置として、又、傾斜側辺下端を直角線ｋ位置として、上昇傾斜して重なる。傾斜ブロックＣは、傾斜ブロックＢ面上に、傾斜面下端線を直角線ｋ位置とし、又、傾斜側辺下端を傾斜線ｊ位置として、上昇傾斜して重なる。傾斜ブロックＢの傾斜角は、選択したピッチ円錐角ｘの２分の１とし、又、傾斜ブロックＣの傾斜角度は、選択したピッチ円錐角ｘと同角度とする。又、副円盤面における、区分点の傾斜線ｊ、直角線ｋに副傾斜台を各々固定した時、各ブロックが、どの様な位置、順序、方向で積み上げられているかを説明すると、まず、平面台ブロックＤは、ブロック角を区分点とし、下端２辺を副円盤面区分点の傾斜線ｊ、直角線ｋに合わせる。傾斜ブロックＥは、平面台ブロックＤ面上に、傾斜面上端線を直角線ｋ位置とし、傾斜側面下端を傾斜線ｊ位置として下降傾斜して重なる。傾斜ブロックＦは、傾斜ブロックＥ面上に、傾斜面上端線を傾斜線ｊ位置とし、傾斜側面下端を直角線ｋ位置として下降傾斜して重なる。傾斜ブロックＥの傾斜角は、選択したピッチ円錐角ｘと同角度とし、傾斜ブロックＦの傾斜角度は、選択したピッチ円錐角ｘの２分の１とする。主、副各突出形磁石の構成形状は、平面図や斜視図にあるように、本体部磁石は、磁極面巾と磁極面間方向巾は同じ寸法の正方形とする。本体部磁石の前後の磁極面には、互いの逆位置端に突出部磁石が付く。本発明では、主、副各突出形磁石が、主、副各傾斜台面上の傾斜線ｊ位置とする本部磁極面を前磁極面と称し、対極の本体部磁極面を後磁極面と称する事とする。本体部磁石と突出部磁石の磁石の種類は、同じでも、異なっていても良い。例えば、本体部磁石は、フェライト磁石とし、突出部磁石は電磁石としたり、本体部磁石は電磁石で突出部磁石は超電導電磁石としても良い。主、副各突出形磁石の高さは、本体部磁石の磁極面巾の２分の１から磁極面巾の１．５倍程度の高さで十分な回転力を得る。主突出形磁石の突出部磁石の磁極面巾は本体部磁極面巾の７０％の巾とし、突出長さは、本体部磁極面巾の５０％の長さとする。他方、副突出形磁石の突出部磁石の磁極面巾は、本体部磁極面巾の５０％巾とする。突出部磁石の突出長さも、本体部磁極面巾の５０％の長さとする。主、副各突出形磁石に於ける、本体磁石における、前磁極面の前突出部は各区分点の逆位置端に付き、後磁極面の後突出部は、各区分点側端に付く。主円盤における各区分点の主突出形磁石の前磁極面の磁極は、同一磁極とする。副円盤における各区分点の副突出形磁石の前磁極面の磁極は、主突出形磁石の前磁極面磁極の反対磁極とする。又、主、副各傾斜台に固定された主、副各突出形磁石上面に、主、副各連結台下面を接着剤で、接着固定する。又、フランジ付軸支持管を天盤の軸穴に合わせ、フランジ部でネジ等で天盤下面に固定し、この主、副各天盤を主軸に通し、フランジ付軸支持管に付くネジにより主軸に仮留めしておき、���、副各連結台上面と、その上面位置に当たる主、副各天盤下面に接着剤を塗り、仮留め解き、主、副各天盤を接着固定する。この結合は、副各連結台に取付け枠を付け、主、副各天盤下面にタッピングネジ等で接続固定する事もできる。主、副各連結台は、主、副傾斜台の各傾斜ブロックと平面台ブロックと同じブロックで構成する。ただし、平面台ブロックの高さは、半分であり、各傾斜ブロックの向きは逆向きとする。又、積み上げ順は各傾斜ブロックが先で平面台ブロックが最上部とする。各平面台ブロックの最上部面が、主、副各天盤下部面にぴったりと合わない時は、各平面台ブロックの上面を修正する。こうした形状に各傾斜ブロック下部部分に突出部受け板を付けた形状構成とし、プラスチック成型、アルミニューム等のダイキャストの一体成型構造である。笠歯車の噛み合わせ位置は、主円盤面の区分円周ｇの一つの区分点ｅを噛み合わせ位置として印付け、この位置を通る中心線上に、笠歯車の１歯間ピッチの谷溝中心を合わせ、この位置に刻印を付け、主円盤３下面に笠歯車をボルト等により固定する。又、副円盤面は、副円盤面における区分円周ｇ上の１点を噛み合わせ点ａとし印を付け、又、磁極面巾ｔにｃｏｓｘを乗じた値に１．５倍した値をａ点からのずれ巾ｚとし、ａ点より、区分円周ｇの逆回転方向にコンパスで区分し、その位置に印を付け、基準となる区分点ｅとし、他の区分点ｅをコンパスで区分し、描く。又、笠歯車を副円盤下面に取付け時、噛み合わせ点ａを通る中心線上に笠歯車の１歯山頂部中心を合わせ、その１歯山位置に刻印し、てタッピングネジ等により笠歯車を副円盤下面に固定する。主、副各円盤回転車の各主軸を、装置容器の各軸受により、支持する時、主、副各円盤回転車の笠歯車の刻印歯谷と刻印歯山を噛み合わせ支持する。突出部磁石を電磁石とした時、又、超電導電磁石を用いた時、電磁石や冷却用圧縮機の電源は、ネオジム磁石を用いた小型の本発明装置を天盤上に搭載し電力を供給する。又は、主軸に回転プラス接触子と主軸端にマイナス接触子設ける。容器側の各位置に、各々、ブラシ保持器を設け、電力を外部より得る。装置容外上部の主円盤回転車の主軸位置に、出力用笠歯車室を固定し、その側壁に軸受を設け、この軸受に軸を通し、軸端にピッチ円錐角４５度の出力用笠歯車を固定する。他方主円盤回転車の主軸にも、出力用笠歯車を取付け、２個の出力用笠歯車の歯を噛み合わせる。又、出力用笠歯車軸方向の装置容器外上部に、面上げ台と、発電機台を固定し、台上に発電機を固定する。発電機軸はクラッチに接続し、クラッチの出力軸は、出力用笠歯車軸と軸継手により連結される。又、出力用笠歯車軸に、ディスクプレートを固定、その位置に、ディスクブレーキ装置を固定する。出力用笠歯車室外の主軸上端にフライホィールを取り付ける構造とする。こうした構造を特徴とする磁力回転発電装置。
【手続補正２】
【補正対象書類名】明細書
【補正対象項目名】全文
【補正方法】変更
【補正の内容】
【発明の詳細な説明】
【技術分野】
【０００１】この発明は、一対の噛み合う歯車上の円盤面の円周囲を任意の整数区分点とし、磁石を固定し、磁石相互間に、作用する吸引力と、反発力とによって回転力とし、発電機を回転させ電力を得る装置であり、電気自動車、船舶、鉄道、ロボット、宇宙航空、農業用、等の電源として用いる。
【背景技術】
【０００２】従来、我国の発明家湊弘平氏により、１対の平歯車を噛み合わせ、上に、各円盤を付け、円盤面周囲に磁石を固定し、磁石の反発力によって回転力とし、発電機を回転し、電力を得る磁力発電装置が、１９８７年頃にテレビ等で発表され、その後、雑誌に、実用化間近で、回転する装置の写真付きの記事が載っている。日本、多くの外国で特許権を取得している。
【発明の開示】
【発明が解決しようとする課題】
【０００３】１対の笠歯車上の各円盤円周を等区分して、磁石を配置が基礎区分数を２から４区分とし、、各区分位置に配置する磁石数少なくし軽量化とコスト下げ安価とする。又、歯数を少なくした構造がシンプルであり、耐久性、信頼性ある構造とする。目覚まし時計内にはいる超小型装置や、電磁石のみ又は、フェライト磁石と電磁石用いて、大電力を得る事ができる構造とする。回転原理に無理がなく、又、対向する磁石の吸引力と、反発力の全てを回転力に転換する回転原理として、原動機並みの高速回転が可能とし、多少の負荷であれば、クラッチなしで、停止位置より自力回転を可能とする。
【課題を解決するための手段】
【０００４】本発明装置の大型機の場合、主円盤回転車と副円盤回転車の構成は、同一直径の主、副各円盤中心下部をボス部とし、中心に軸穴を付け、軸穴に主軸を通し、キー、ボルトにより各々固定する。主、副各円盤の円周側面は、選択した各笠歯車のピッチ円錐角ｘと同じ傾斜角側面としても良い。又、主、副各円盤下部に、平面形がリング形の各笠歯車を、主、副各円盤下部の段差外円周面に、各リング形笠歯車の内周面フランジ部を、合わせ、心出ししてタッピングネジ等により、主、副各円盤下部に固定する。各笠歯車直径は、主、副各円盤直径より歯形部分だけ少し大きめの同一直径、同一歯数とする。笠歯車は数分割して、耐摩耗性の樹脂等で成型加工しても良い。【０００５】又、小型の場合、各笠歯車の中心下部をボス部とし、中心にあく軸穴に主軸を通し、キー、ボルトにより各々固定する。各笠歯車の上面に、中心に軸穴があく主副各円盤を主軸に通し、各笠歯車の上面にタッピングネジ等で各々、固定する。主、副各円盤直径は、笠歯車上面直径より歯形部分だけ小さい直径とする。笠歯車の最少ピッチ円錐角ｘは、加工と組み立てが可能であれば、限りなく、０度近くまで選択できる。【０００６】主、副各円盤面に外周より少し内側に、同一直径の区分円周ｇを描き、２区分、３区分、４区分を基本区分数とする。又、４区分以上の整数区分で、任意の区分数を選択できる。選択した区分数で、区分円周ｇを等区分し各区分点ｅとする。主円盤における区分円周ｇの各区分点より、回転方向に、接線ｆを引き描く、接線ｆを基準として傾斜角αの傾斜線ｊを区分点ｅより引き描く。次に、この傾斜線ｊに対する直角線ｋを区分点ｅより引き描く。【０００７】主円盤の傾斜角αは、笠歯車のピッチ円錐角ｘにより変化する。笠歯車の選択できるピッチ円錐角ｘは、最大３０度で、この時の傾斜角αは９０度である。笠歯車のピッチ円錐角ｘを３０度よりａ度減じたｘとする時、傾斜角αは、最大ピッチ円錐角ｘの傾斜角αである９０度よりａ度減じた角度とする。【０００８】又、副円盤における区分円周ｇの各区分点ｅより、逆回転方向に、接線ｆを引き接線ｆを基準として傾斜角βの傾斜線ｊを区分点ｅより引く。又、この傾斜線ｊに対する直角線ｋを引き描く。傾斜角βは、笠歯車のピッチ円錐角ｘが如何なる角度に於ても４５度とする。【０００９】主、副各円盤の傾斜線ｊと直角線ｋ上に主傾斜台と副傾斜台を各々、固定する。各々の台上に主突出形磁石と副突出形磁石を配置固定する。主、副各突出形磁石の磁極面巾は、区分円周ｇの２区分間の弦巾の２５％を磁極面巾とする。主、副各傾斜台の形状は、一体成形であり、分解できないが、各ブロックに分け説明する。【０００１０】主、副各傾斜台は、高さ部分を構成する、平面台ブロックの上に、各々、側面が直角三角形の傾斜ブロックが２個重なった形状であり、更に、この形状に、突出部受け板を付けた形状とする。こうした形状をプラスチック成形や、アルミニューム等のダイキャストの一体成形構造である。平面台ブロックは、平面形が正方形であり主、副各傾斜台共に、１辺の長さは、主、副各突出形磁石の磁極面巾と同じ長さとする。平面台ブロックの高さは、約、突出形磁石の磁極面巾にｓｉｎｘ（ｘは選択したピッチ円���角）を乗じた値に１．３倍した程度の高さとする。【００１１】主、円盤面における、区分点の傾斜線ｊ、ｋに主傾斜台と、副傾斜台を各々固定した時、各ブロックが、どの様な位置、順序、方向で積み上げられているかを説明すると、まず、平面台ブロックＡは、ブロック角を区分点とし、下端２辺を主円盤面区分点の傾斜線ｊ、直角線ｋに合わせ固定し、傾斜ブロックＢは、平面台ブロックＡ面上に、傾斜面下端線を、傾斜線ｊ位置として、又、傾斜側辺下端を直角線ｋ位置として、上昇傾斜して重なる。傾斜ブロックＣは、傾斜ブロックＢ面上に、傾斜面下端線を直角線ｋ位置とし、又、傾斜側辺下端を傾斜線ｊ位置として、上昇傾斜して重なる。傾斜ブロックＢの傾斜角は、選択したピッチ円錐角ｘの２分の１とし、又、傾斜ブロックＣの傾斜角度は、選択したピッチ円錐角ｘと同角度とする。【００１２】又、副円盤面における、区分点の傾斜線ｊ、直角線ｋに副傾斜台を各々固定した時、各ブロックが、どの様な位置、順序、方向で積み上げられているかを説明すると、まず、平面台ブロックＤは、ブロック角を区分点とし、下端２辺を副円盤面区分点の傾斜線ｊ、直角線ｋに合わせる。傾斜ブロックＥは、平面台ブロックＤ面上に、傾斜面上端線を直角線ｋ位置とし、傾斜側面下端を傾斜線ｊ位置として下降傾斜して重なる。傾斜ブロックＦは、傾斜ブロックＥ面上に、傾斜面上端線を傾斜線ｊ位置とし、傾斜側面下端を直角線ｋ位置として下降傾斜して重なる。傾斜ブロックＥの傾斜角は、選択したピッチ円錐角ｘと同角度とし、傾斜ブロックＦの傾斜角度は、選択したピッチ円錐角ｘの２分の１とする。【００１３】主、副各突出形磁石の構成形状は、平面図や斜視図にあるように、本体部磁石は、磁極面巾と磁極面間方向巾は同じ寸法の正方形とする。本体部磁石の前後の磁極面には、互いの逆位置端に突出部磁石が付く。本発明では、主、副各突出形磁石が、主、副各傾斜台面上の傾斜線ｊ位置とする本体部磁極面を前磁極面と称し、対極の本体部磁極面を後磁極面と称する事とする。【００１４】本体部磁石と突出部磁石の磁石の種類は、同じでも、異なっていても良い。例えば、本体部磁石は、フェライト磁石とし、突出部磁石は電磁石としたり、本体部磁石は電磁石で突出部磁石は超電導電磁石としても良い。主、副各突出形磁石の高さは、本体部磁石の磁極面巾の２分の１から磁極面巾の１．５倍程度の高さで十分な回転力を得る。【００１５】主突出形磁石の突出部磁石の磁極面巾は本体部磁極面巾の７０％の巾とし、突出長さは、本体部磁極面巾の５０％の長さとする。【００１６】他方、副突出形磁石の突出部磁石の磁極面巾は、本体部磁極面巾の５０％巾とする。突出部磁石の突出長さも、本体部磁極面巾の５０％の長さとする。【００１７】主、副各突出形磁石に於ける、本体磁石における、前磁極面の前突出部は各区分点の逆位置端に付き、後磁極面の後突出部は、各区分点側端に付く。【００１８】主円盤における各区分点の主突出形磁石の前磁極面の磁極は、同一磁極とする。副円盤における各区分点の副突出形磁石の前磁極面の磁極は、主突出形磁石の前磁極面磁極の反対磁極とする。【００１９】又、主、副各傾斜台に固定された主、副各突出形磁石上面に、主、副各連結台下���を接着剤付で、接着固定する。又、フランジ付軸支持管を天盤の軸穴に合わせ、フランジ部でネジ等で天盤下面に固定し、この主、副各天盤を主軸に通し、フランジ付軸支持管に付くネジにより主軸に仮留めし、主、副各連結台上面と、その上面位置に当たる主、副各天盤下面に接着剤を塗り、仮留め解き、主、副各天盤を接着固定する。この結合は、副各連結台に取付け枠を付け、主、副各天盤下面にタッピングネジ等で接続固定することもできる。。【００２０】主、副各連結台は、主、副傾斜台の各傾斜ブロックと平面台ブロックと同じブロックで構成する。ただし、平面台ブロックの高さは、半分であり、各傾斜ブロックの向きは逆向きとする。又、積み上げ順は各傾斜ブロックが先で平面台ブロックが最上部とする。各平面台ブロックの最上部面が、主、副各天盤下部面にぴったりと合わない時は、各平面台ブロックの上面を修正する。こうした形状に各傾斜ブロック下部部分に突出部受け板を付けた形状構成とし、プラスチック成型、アルミニューム等のダイキャストの一体成型構造である。【００２１】笠歯車の噛み合わせ位置は、主円盤面の区分円周ｇの一つの区分点ｅを噛み合わせ位置として印付け、この位置を通る中心線上に、笠歯車の１歯間ピッチの谷溝中心を合わせ、この位置に刻印を付け、主円盤３下面に笠歯車をボルト等により固定する。【００２２】又、副円盤面は、副円盤面における区分円周ｇ上の１点を噛み合わせ点ａとし印を付け、又、磁極面巾ｔにｃｏｓｘを乗じた値に１．５倍した値をａ点からのずれ巾ｚとし、ａ点より、区分円周ｇの逆回転方向にコンパスで区分し、その位置に印を付け、基準となる区分点ｅとし、他の区分点ｅをコンパスで区分し、描く。又、笠歯車を副円盤下面に取付け時、噛み合わせ点ａを通る中心線上に笠歯車の１歯山頂部中心を合わせ、その１歯山位置に刻印し、タッピングネジ等により笠歯車を副円盤下面に固定する。主、副各円盤回転車の各主軸を、装置容器の各軸受により、支持する時、主、副各円盤回転車の笠歯車の刻印歯谷と刻印歯山を噛み合わせ支持する。【００２３】突出部磁石を電磁石とした時、又、超電導電磁石を用いた時、電磁石や冷却用圧縮機の電源は、ネオジム磁石を用いた小型の本発明装置を天盤上に搭載し電力を供給する。又は、主軸に回転プラス接触子と主軸端にマイナス接触子設ける。容器側の各位置に、各々、ブラシ保持器を設け、電力を外部より得る。【００２４】装置容外上部の主円盤回転車の主軸位置に、出力用笠歯車室を固定し、その側壁に軸受を設け、この軸受に軸を通し、軸端にピッチ円錐角４５度の出力用笠歯車を固定する。他方主円盤回転車の主軸にも、出力用笠歯車を取付け、２個の出力用笠歯車の歯を噛み合わせる。又、出力用笠歯車軸方向の装置容器外上部に、面上げ台と、発電機台を固定し、台上に発電機を固定する。発電機軸はクラッチに接続し、クラッチの出力軸は、出力用笠歯車軸と軸継手により連結される。又、出力用笠歯車軸に、ディスクプレートを固定、その位置に、ディスクブレーキ装置を固定する。出力用笠歯車室外の主軸上端にフライホィールを取り付ける構造とする。こうした構造を特徴とする磁力回転発電装置。
【発明を実施するための最良の形態】
【００２５】以下、本発明の実施の形態を図面に基づき詳細に説明する。【００２６】図１〜図３は本発明本体の第１の実施の形態に係る図である。図１は図２の主円盤回転車１部分の断面線Ｂ−Ｂ線方向と副円盤回転車２部分の断面線Ｃ−Ｃ方向で、主円盤３面と副盤４合面を透視し、各区分点の傾斜線ｊと直角線ｋ上の平面に、主、副各突出形磁石８、９が位置したと想定した時を合成した断面透視平面図であり、図２は、図１の断面線Ａ−Ａ線方向の断面立面図である。図３は、図２の断面線Ｄ−Ｄ線方向の断面立面図である。笠歯車３のピッチ円錐角ｘは、１５度であり、区分数は３区分である。又、主副、突各出形磁石８、９の本体磁石は、フェライト磁石とし、突出部磁石８ａ、９ａは、電磁石とする。
又、本体磁石、突出部磁石共に、電磁石としても良い。【００２７】図１〜図３にあるように、主円盤回転車１と副円盤回転車２は、同一直径の主、副各円盤３、４とその各円盤中心下部をボス部とし、ボス部中心にあく軸穴に主軸１０を通し、ボルトネジ、キー等により固定する。又、笠歯車５は、リング状で主、副各円盤３、４直径より、歯部分だけ大きい直径寸法であり、同一直径、同一歯数とする。このリング状の笠歯車５は、各主、アルミニューム、真鍮、ステンレスで機械加工して作る。このリング状の笠歯車５は、摩耗に強い部材で金型成型して数個に分割しても可能とする。分割形の笠歯車５は主、副各円盤３、４の下面にボルトネジ等により固定する【００２８】図１にあるように、主、副各円盤３、４面上外周より少し内側に、同一直径の区分円周ｇを描き、区分円周ｇを３区分で等区分する。主円盤３における区分円周ｇの各区分点ｅより、回転方向に、接線ｆを引き、接線ｆを基準として傾斜角αを７５度とした傾斜線ｊを各区分点より引く。又、この傾斜線ｊに対する直角線ｋを各区分点ｅより引く。【００２９】本発明における回転可能な笠歯車５の選択できる最大ピッチ円錐角ｘは３０度であり、この時、傾斜角αは、９０度とする。ピッチ円錐角ｘを３０度よりａ度減じたｘ１とする時、傾斜角αは、９０度よりａ度減じた値の角度となる。これを数式を入れ３例述べると、ピッチ円錐角ｘ１を５度とした時、ａは次の数式、ａ＝３０−ｘ１＝３０−５＝２５となる。これは次の数式α＝９０−ａによりα＝９０−２５＝６５で傾斜角αは６５度となる。又、ピッチ円錐角ｘ１を１０度とした時、ａは次の数式、ａ＝３０−ｘ１＝３０−１０＝２０となり、数式α＝９０−ａによりα＝９０−２０＝７０で傾斜角αは７０度となる。ピッチ円錐角ｘ１を１５度とした時、ａ＝３０−ｘ１＝３０−１５＝１５となり、これをα＝９０−ａ＝９０−１５＝７５で傾斜角αは７５とする。従って、図１傾斜角αは７５度とする。【００３０】又、副円盤４における区分円周ｇの各区分点ｅより、逆回転方向に、接線ｆを引き、接線ｆを基準として、傾斜角４５の傾斜線ｊを区分点ｅより引く。又、区分点ｅよりこの傾斜線ｊに対する直角線ｋを区分点より引く。傾斜角βは、ピッチ円錐角ｘをいかなる角度選択しても４５度とする。従って図１の傾斜角βは、４５度とする。【００３１】図４は、区分円周ｇの区分点に主傾斜台６を固定した時、各ブロックに分解した時の斜視図であり、平面台ブロック６−Ａは、平面形が正方形であり、１辺の長さは、磁極面巾ｔと同じ長さとするが、傾斜ブロック６−Ｂの直角線ｋ位置側の辺は、図４のように、ｃｏｓｘに磁極面巾ｔを乗じた値の巾としても良い。高さは、突出形磁石８の磁極面巾ｔに、ｓｉｎｘ（ｘは選択したピッチ円錐角）を乗じた値を約、１．３倍した程度の高さとする。図１突出形磁石８の磁極面巾を仮に、２０ｃｍとすると、ｈ＝２０×ｓｉｎ１５×１．３＝２０×０．２５９×１．３＝６．７３４で高さｈは約６．５ｃｍとなる。【００３２】平面台ブロック６−Ａは、ブロック角を区分点位置とし、２辺を主円盤各区分点ｅの傾斜線ｊ、と直角線ｋに合わせ固定する。次に、傾斜ブロック６−Ｂは、側面が直角３角形の傾斜ブロックであり、傾斜面下端線を傾斜線ｊ位置とし、又、傾斜側辺下端を直角線ｋ位置として上昇傾斜して、平面台ブロック６−Ａ面上に重なる。次に、傾斜ブロック６−Ｃは、側面が直角３角形の傾斜ブロックであり、傾斜面下端線を直角線ｋ位置とし、又、傾斜側辺下端を傾斜線ｊ位置として上昇傾斜して、傾斜ブロックＢ面上に重なる。尚、傾斜ブロック６−Ｂと傾斜ブロック６−Ｃの傾斜面の艮さは磁極面巾と同じとする。傾斜ブロック６−Ｂは、選択したピッチ円錐角ｘの２分の１のｙで７．５度とする。傾斜ブロック６−Ｃの傾斜角度は、選択したピッチ円錐角ｘと同角度のｘ１で１５度とする。【００３３】図５は区分円周ｇの区分点に、主傾斜台６を固定した時の斜視図であり、主傾斜台６は、平面台ブロック６−Ａ角を区分点位置とし、２辺を主円盤３の各区分点ｅに描いた傾斜線ｊ上と直角線ｋ上に、固定される。主傾斜台６は、下から平面台ブロック６−Ａに、側面形が直角三角形とする傾斜ブロック６−Ｂと傾斜ブロック６−Ｃが積み上がった一体成形の構成である。図６は、突出部受け板６ａが付いた主傾斜台６の斜視図である。【００３４】図７は、区分円周ｇの区分点に副傾斜台７を固定した時、副傾斜台７を各ブロックに分解した斜視図であり、ブロック７−Ｄの傾斜線ｊ位置側の辺は、図７のように、ｃｏｓｘに磁極面巾ｔを乗じた値の巾としても良い。高さは、平面台ブロック６−Ａと同じで、突出形磁石の磁極面巾にｓｉｎｘ（ｘは選択したピッチ円錐角）を乗じた値を約１．３倍した程度の高さとする。【００３５】図７、図８にあるように、平面台ブロック７−Ｄは、ブロック角を区分点ｅ位置とし、２辺を副円盤における各区分点ｅの傾斜線ｊ、直角線ｋに合わせる。次に、傾斜ブロック７−Ｅは、側面が直角３角形とする傾斜ブロックであり、傾斜面上端線を直角線ｋ位置とし、又、傾斜側辺下端を傾斜線ｊ位置として下降傾斜して、平面台ブロック７−Ｄ上面に重なる。次に、傾斜ブロック７−Ｆは、側面が直角３角形とする傾斜ブロックであり、傾斜面上端線下端を傾斜線ｊ位置とし、又、傾斜側辺下端を直角線ｋ位置として下降傾斜して、傾斜ブロック７−Ｅ上面に重なる。傾斜ブロック５−Ｅの傾斜角度は、選択したピッチ円錐角ｘと同角度のｘ１で１５度とする。又、傾斜ブロック５−Ｆの傾斜角度は、選択したピッチ円錐角ｘの２分の１のｙで７．５度とする。【００３６】図８は、区分円周ｇの区分点に、副傾斜台７を固定した時の斜視図であり、ｅは区分点であり、矢印は副円盤４の回転方向を示す。ｆは、副円盤４の逆回転方向に引いた接線であり、接線ｆを基準線として、傾斜角βを４５度として区分点よりｊ線を引き、ｊ線を基準線として直角線ｋを区分点より描く。傾斜角βは、ピッチ円錐角ｘをいかなる角度に選択しても４５度とする。図９は、突出部受け板７ａが付いた副傾斜台７の斜視図である。【００３７】図１において、主、副各円盤３、４面における、各区分点ｅの傾斜線ｊ、ｋに、主傾斜台６と、副傾斜台を固定した時、各傾斜台の台面上に電磁石、超電導電磁石、フェライト磁石、ネオジム磁石等で作られた主、副各突出形磁石８、９を各々固定する。この時、本発明では、区分点側に位置した本体部磁石の磁極面を前磁極面と呼び、対極の磁極面を後磁極面と呼��事にする。前磁極面の突出部磁石８ａ、９ａは、区分点と反対位置端に付き、後磁極面には、区分点側端に付く。又、図１、図１６、図１８にあるように、主円盤３の各区分点の前磁極面の磁極は、全て、同一のＮ磁極とし、又、副円盤４の各区分点の前磁極は、全て主円盤３の反対のＳ磁極とする。【００３８】主、副各突出形磁石８、９の構成形状は、斜視図の図１４、図１５にあるように、本体部の磁石の磁極面巾ｔと磁極面間方向寸法ｍは、同一寸法で正方形とし、Ｎ・Ｓ磁極面の逆位置端には、各々、突出部磁石８ａ、９ａ、が付いた構造とする。主突出形磁石８の突出部磁石の磁極面巾ａは、本体部分磁極面巾ｔの７０％の巾ａとし、突出長さｂは、本体部分磁極面巾ｔの５０％とする。又、副主突出形磁石９の突出部磁石の磁極面巾ａは本体部分磁極面巾ｔの５０％の巾ａとし、突出長さｂも、本体部分磁極面巾ｔの５０％とする。例えば、図１の主突出形磁石８の磁極面巾ｔを２０ｃｍとした時、突出部磁石の磁極面巾ａは、ａ＝２０×０．７＝１４で１４ｃｍであり突出長さｂはｂ＝２０×０．５＝１０で１０ｃｍとなる。又、副主突出形磁石９の突出部磁石の磁極面巾ａと突出長さｂは、本体部分磁極面巾ｔの５０％なので共に、１０ｃｍとなる。本体部磁石と突出部磁石の磁石の種類は、同じでも、異なっていても良い。例えば、本体部磁石はフェライト磁石で、突出部磁石はネオジム磁石や電磁石としても良い。しかし、なるべく、本体部分磁石より突出部磁石の方を強力な磁力の磁石とする。これは、主な回転出力が突出部磁石の磁力によるからである。【００３９】第１の実施の形態では、本体磁石部分はフェライト磁石で、突出部磁石は、電磁石で構成とするが、小型装置では、突出部磁石は、ネオジム磁石としても良い。主、副各突出形磁石８、９の高さｈは、本体部の磁極面巾ｔの２分の１から磁極面巾ｔの１．５倍程度とする。図１の主突出形磁石８の磁極面巾ｔを２０ｃｍとすれば、高さｈは、１０ｃｍから最大で３０ｃｍとなる。【００４０】突出部磁石８ａ、９ａは、市販の電磁石では、およそ直径９ｃｍの円形電磁石とした時、、吸引力は６０ｋｇもある。この時、電源は、単１乾電池の１．５ｖである。従って、図１〜図３の突出部磁石８ａ、９ａを電磁石で構成すれば、大電力が得られる。例えば、主、副各円盤の区分円周ｇの直径を１ｍで２区分数とした時、磁極面巾は、直径の２５％で２５ｃｍとなり、突出部磁石８ａ、９ａを電磁石で構成すれば、かなりの大電力が得られる。。電磁石の電源は、出力電圧６ｖ程度の本発明装置２機を主、副各天盤１１、１２上に搭載すれば良い。しかし、図では、電磁石の電源は装置容器１７外より取っている。図２にあるように、主軸１０に回転プラス接触子３１を設け、装置容器１７壁面に、プラスブラシ保持器３０を設け、ブラシを接触させる。又、回転マイナス接触面子３２は、主軸１０下部端に設け、装置容器１７壁面に、マイナスブラシ保持器３３を設ける。【００４１】図２、図１７にあるように、主、副傾斜台６、７面上に固定された主、副各突出形磁石８、９の上部面と、主、副各連結台１４、１５下面を接着剤により、接着固定する。又、主、副各天盤１１、１２下部面の中心軸穴に、フランジ付軸支持管１３の穴を���わせ、主、副各天盤１１、１２下面にフランジ部でネジで固定する。この主、副各天盤１１、１２を主軸１０に通し、フランジ付軸支持管１３に付くネジにより、仮留めしておき、主、副各連結台１４、１５の上面と、主、副各天盤１１、１２下面の接合部に接着剤をぬり、仮留め外し、主、副各天盤１１、１２下げて、主、副各連結台１４、１５と接着固定する。【００４２】図１０は、  主連結台１４の各傾斜ブロックに分解された斜視図である。傾斜ブロック１４−Ｂ、の上面に傾斜ブロック１４−Ｃが付き、平面台ブロック１４−Ａの順となる。平面台ブロック１４−Ａ、１４−Ｄの高さｈは、平面台ブロック６−Ａの２分の１とする。又主連結台１４の傾斜ブロックは、主傾斜台６における、傾斜ブロックと傾斜方向が真逆方向で積み上がり、平面台ブロック１４−Ａが上端に位置する一体成形構造である。又、図１１は、突出部受け板１４ａが付いた主連結台１４の斜視図である。【００４３】図１２は、副連結台１５の各傾斜ブロックに分解された斜視図である。傾斜ブロック１５−Ｅの上に、傾斜ブロック１５−Ｆが付く。これは、副傾斜台７の傾斜ブロック７−Ｅ、傾斜ブロック７−Ｆの傾斜方向と真逆方向で積み上がり、平面台ブロック１５−Ｄの順となった構成の一体成形構造である。又、図１３は、突出部受け板１５ａが付いた副連結台１５の斜視図である。主副各傾斜台６、７  の突出部受け板６、７ａと、主連結台１４、主連結台１５の突出部受け板１４ａ、１５ａの面に接着財をつけ、突出部磁石８ａ９ａを固定で支持する。又、主副各傾斜台６、７  の突出部受け板６、７ａと、突出部受け板１４ａ、１５ａの両側部に取付け枠を付け、中間で接続する構成とすれば、取付け枠上、下左、右側面で確実に突出部磁石を支持する事がきるが、図では省略している。【００４４】又、装置容器１７外上部に、出力用笠歯車室２１を設け、壁面にラジアル軸受１９を取付け、軸をラジアル軸受１９で支持し、軸端にピッチ円錐角４５度の出力用笠歯車２２を固定する。又、主円盤回転車１の主軸１０に、出力用笠歯車２２を取り付け、両出力用笠歯車２２を噛み合わせる。又、装置容器１７外上部に、面上げ台３４と発電機取付け台２４を設け、台上に発電機２５とクラッチ２３を固定する。発電機２５軸はクラッチ２３に接続し、クラッチ２３の出力軸は、出力用笠歯車２２軸と軸継手２０により連結される。出力用笠歯車室２１上部に出た主軸１０にフライホイール１６を設ける。又、出力用笠歯車２２軸に、ディスクプレート２９を固定し、ディスクブレーキ装置２８を固定する。【００４５】主円盤３の笠歯車５の噛み合わせ位置は、主円盤３において、区分円周ｇの一つの区分点ｅを噛み合わせ位置とし印付け、この位置を通る中心線上に、笠歯車５の１歯間ピッチの谷溝中心を合わせ、この位置に刻印を付け、主円盤３下面に笠歯車５をボルト等により固定する。又、副円盤４の笠歯車５の噛み合わせ位置は、副円盤４の区分円周ｇの１点ａを噛み合わせ点とし印を付ける。噛み合わせ点ａより、磁極面巾ｔにｃｏｓｘを乗じた値に１．５倍した値のずらし巾ｚをコンパスに取り、副円盤４の逆回転方向に、区分円周ｇ上をコンパスで区分し、区分点ｅとし、この区分点ｅを基準として、中心���１２０度間隔で、他の２区分点ｅを描く。副円盤４下面に笠歯車５を取付ける時、噛み合わせ印点ａを通る中心線上に、笠歯車５の歯山頂部位置とし、この位置に刻印を付け、笠歯車５を副円盤４にボルトネジ等により固定する。【００４６】ずらし巾ｚは、仮に、図１の磁極面巾ｔを２０ｃｍとした時、ピッチ円錐角ｘを１５度とした時、ｚ巾を計算式で求めると、ｚ＝（ｃｏｓｘ×ｔ）×１．５＝（ｃｏｓ１５×２０）×１．５＝（０，９６５×２０）×１．５＝１９．３×１．５＝２８．９５でずらし巾ｚは約２９ｃｍとなる。副円盤４の区分円周ｇの１点ａより、巾ｚの２９ｃｍをコンパスに取り、副円盤４の逆回転方向に、コンパスで区分し、この位置を区分点ｅとする。この区分点ｅを通る中心線を基準として、中心角１２０度間隔で他の２区分点を区分し各区分点ｅとする。主、副各円盤回転車１、２は、装置容器１７の各スラスト軸受１８、ラジアル１９に、各主軸９を支持する時、各笠歯車５の刻印ある歯谷と歯山を噛み合わせ、各主、副円盤回転車１、２の主軸９を支持する。【００４７】本発明装置を起動する時は、クラッチ２３を切った状態で、ディスクブレーキ装置２８のロックを切ると、主円盤回転車１と副円盤回転車２は、ゆっくりと回転を始める。回転数が上がった時点で、クラッチ２３を入れると発電を開始する。装置を停止する時は、クラッチ２３を切って、ディスクブレーキ装置２８をかければ停止し、長期間停止の時、ロック装置をかける。主、副各傾斜台６、７や主、副各円盤３、４や笠歯車５、主、副各連結台部１３、１４、主、副各天盤１１、１２等は、磁力が作用しない素材とする。クラッチ２２はアクチュエイターにより作動し、コンピューターにより制御する。主、副各円盤回転車１、２は、装置容器１４のスラスト各軸受１８、ラジアル軸受１９、により、各主軸１０を支持し、笠歯車５を噛み合わせる。こうした構造を特徴とする磁力回転発電装置。【００４８】図１６と図１７は、本発明本体の第２の実施の形態に係る図であり、主、副各突出形磁石８、９、の本体磁石はフェライト磁石、又は電磁石、又は超電導電磁石より選択し、突出部磁石８ａ、９ａは、全て超電導電磁石構成とする。【００４９】図１６は、図１７の主円盤回転車１部分の断面線Ｂ−Ｂ線方向と、副円盤回転車２部分の断面線Ｃ−Ｃ方向で、主円盤３面と副円盤４面を透視し、各区分点の傾斜線ｊと直角線ｋ上の平面に、主、副各突出形磁石８、９、を固定した時の合成した断面透視平面図である。図１７は、図１６の断面線Ａ−Ａ線方向の断面立面図である。笠歯車５のピッチ円錐角ｘは、１０度である。区分数は、２区分とする。【００５０】図１６において、矢印は主、副各円盤３、４の回転方向を示す。主円盤３の各区分点ｅより回転方向に、接線ｆを引き、接線ｆを基準として、傾斜角αを７０度とする、傾斜線ｊを区分点ｅより引き描く。又この傾斜線ｊに対する直角線ｋを区分点ｅより引き描く。区分点ｅの傾斜線ｊ線と直角線ｋ上に主傾斜台６を配置する。主傾斜台６上面に、主突出形磁石８が前磁極面を傾斜線ｊ位置とし、磁極面間方向側面を直角線ｋ位置として固定する。【００５１】又、副円盤４の各区分点より、逆回転方向に、接線ｆを引き、接線ｆを基準として、傾斜角βを４５度で、傾斜線ｊを区分点より引く。又この傾斜線ｊに対する直角線ｋを区分点より引き、描く。区分点ｅの傾斜線ｊ線と直角線ｋ上に副主傾斜台７を配置する。副突出形磁石９は、前磁極面下端を傾斜線ｊ位置とし、又、磁極面間方向側面下端を直角線ｋ位置として、副傾斜台７面上に固定する。主、副各天盤１１、１２上に電源用小型本発明装置２７を固定し、冷凍機２６も固定する。冷凍機２６は、ヘリウムガスの再液化用として用いる。又、電源を装置容器外部よりとる時、主軸１０に回転プラス接触子３１、や主軸１０下部端に設け、回転マイナス接触面子３３を付け、プラスブラシ保持器３０マイナスブラシ保持器３２を付ける。こうした構造を特徴とする第２の実施の形態の磁力回転発電装置。【００５２】図１８は、本発明本体の第３の実施の形態に係る図であり、図２の場合と同じとする、主円盤回転車１部分の断面線Ｂ−Ｂ線方向と、副円盤回転車２部分の断面線Ｃ−Ｃ方向で、主円盤３面と副円盤４面を透視し、各区分点の傾斜線ｊと直角線ｋ上の平面に主、副各突出形磁石８、９、を固定した時の合成した断面透視平面図であり、区分数は、４区分とし笠歯車５のピッチ円錐角ｘは、３０度である。立面図、側面図は、省略する。【００５３】主円盤３の各区分点ｅより回転方向に、接線ｆを引き、接線ｆより傾斜角αを９０度で、傾斜線ｊと、直角線ｋを区分点ｅ描き、又、副円盤４の各区分点より、逆回転方向に、接線ｆを引き、接線ｆを基準として、傾斜角βを４５度で、傾斜線ｊと直角線ｋを区分点ｅより描く。傾斜線ｊ線と直角線ｋ上に主、副各傾斜台６、７を配置する。主、副各傾斜台６、７の細部の説明は、第１の実施形態と同じで省略する。主、副各傾斜台７の台上に、主、副各突出形磁石８、９が固定される。こうした以外の構成は第１、第２の実施の形態と同じ構成とする磁力回転発電装置。【００５４】主、副各円盤３、４直径が大の時、笠歯車５のピッチ円錐角ｘは大とするのが基本とするが、第２の実施の形態のように、主、副各円盤３、４直径１ｍ程度であれば、ピッチ円錐角ｘを１０度でも可能とする。尚、本発明では、主、副各円盤３、４直径を基準として大注小の機種とし、直径１〜３ｍを大型、直径５０〜８０ｃｍ中型、直径１０〜３０ｃｍ小型機種と呼ぶ。【００５５】図１９〜図２３は、図１〜図３における本発明本体の第１実施の形態の回転原理の説明図である。ピッチ円錐角ｘは１５度であり、区分数は３区分である。本発明では、２〜４区分を基本区分数とする。図に於て、主円盤３に通る２点中心線０−０より、主円盤３面の向かって右側を本発明では、入り口側と呼び、向かって左側を出口側と呼ぶことにする。又、回転原理は、複雑を避けるため１対の対向組の回転の流れにより説明する。２区分、３区分、４区分を基本区分数と呼ぶ【００５６】    図１９は、主突出形磁石８（Ａ）の区分点が、２点中心を通る中心線０−０より入り口側中心角εが４５度位置した図である。この位置で回転ポテンシャル作動位置となる。この位置では、主突出形磁石８（Ａ）の前表突出部８ａのＮ極と、副円盤４上の副突出形磁石９（Ｄ）の前磁極面Ｓ極との吸引力により副突出形磁石９（Ｄ）に回転力Ｐ１が作用する。回転力Ｐ１により図２０位置まで回転する。図１９の位置は区分数が基礎区分数であれば、ピッチ円錐角ｘを変えた時ても、入口側回転ポテンシャル作動位置εとなる【００５７】図２０は、主円盤３上の突出形磁石８（Ａ）の区分点ｅが、中心角εが０度とする位置の図である。この位置で副突出形磁石９（Ｄ）の回転力Ｐ１は主突出形磁石８（Ａ）に逆回転力が作用する為、消滅する。しかし、この位置では主突出形磁石８（Ａ）の前突出部８ａのＮ磁極、及び、本体磁石の前磁極面のＮ磁極と、副円盤４上の突出形磁石９（Ｄ）の後突出部９ａのＮ極との反発力で、主突出形磁石８（Ａ）に回転力Ｐ２が作用する。この回転力Ｐ２は、始め、主突出形磁石８（Ａ）の前突出部８ａのＮ磁極、と副円盤４上の突出形磁石９（Ｄ）の後突出部９ａのＮ極との反発により、突出形磁石８（Ａ）に回転力Ｐ２が作用し、次に、主突出形磁石８（Ａ）の本体磁石部の前磁極面のＮ磁極との反発により、突出形磁石８（Ａ）に回転力Ｐ２が持続作用し、図２１位置まで回転する。尚、図２０の回転ポテンシャル作動位置０度の中心角εは、基本区分数の３区分、４区分より各２倍、４倍とする他の全ての区分数においても、回転ポテンシャル作動位置０度の中心角εとなる。【００５８】しかし、図１９、図２１度、図２２では、基本区分数の３区分、４区分より各２倍の６区分、８区分とした時、回転ポテンシャル作動位置中心角εは図１９、図２１度で、半分の２２．５度となり、又、図２２の回転ポテンシャル作動位置は６０度より半分の３０度となる。更に、２倍の１２区分、１６区分とした時、図２０、図２１で、半分の１１．２５度となり、図２２の回転ポテンシャル作動位置は３０度より半分の１５度となる。【００５９】図２１は、主円盤３上の突出形磁石８（Ａ）の区分点ｅが、出口側中心角εが４５度とする位置の図である。この位置で回転力Ｐ２は消滅する。しかし、主円盤３上の主突出形磁石８（Ａ）の後突出部８ａのＳ極と、副円盤４上の突出形磁石８（Ｄ）の前磁極面のＳ極との反発力により突出形磁石８（Ａ）に回転力Ｐ３と、突出形磁石８（Ｄ）にも回転力Ｐ４が作用する回転ポテンシャル作動位置の中心角εである。この回転力Ｐ３、Ｐ４により、図２２位置まで回転する。図２１の位置は区分数が基礎区分数であれば、ピッチ円錐角ｘを変えた時ても、出口側回転ポテンシャル作動位置εとなる。【００６０】図２２は、主円盤３上の突出形磁石８（Ａ）の区分点ｅが、２中心点を通る０−０中心線より出口側の中心角εが、６０度位置とする時であり、主突出形磁石８（Ａ）の後突出部８ａのＳ極と、副突出形磁石９（Ｄ）の前突出部のＳ極との反発力により、主突出形磁石８（Ａ）に回転力Ｐ５と、副突出形磁石９（Ｄ）にも回転力Ｐ６が作用する。回転ポテンシャル作動位置の中心角εである。この回転力Ｐ５、Ｐ６は、図２３の位置まで持続する。又、回転力Ｐ３、Ｐ４は、この位置でも持続するが、出口側通過中心角εが７５度の位置で消滅する。図２２の位置は区分数が基礎区分数であれば、ピッチ円錐角ｘを変えた時ても、出口側回転ポテンシャル作動位置εとなる。【００６１】２３図は、主円盤３上の主突出形磁石８（Ａ）の区分点ｅが、２中心点を通る０−０中心線より、中心角εが、出口側１１５度に位置する時であり、主���出形磁石８（Ａ）の回転力Ｐ５と、副突出形磁石９（Ｄ）の回転力Ｐ６は、消滅する。【００６２】１対の回転ポテンシャリティは、およそ共通中心線０−０より入口側中心角εが４５度と出口側中心角ε１１５度を加えた値１６０度の中心角となる。これは、区分数が３区分の時、２区分間の中心角は１２０度であるので、１対目の出口側中心角εが７５度の時に、次の対抗区分である主円盤３の主突出形磁石８（Ｂ）と副円盤４の副突出形磁石９（Ｅ）の２組目は、入口側中心角εの回転ポテンシャル位置の図１９の位置となる。従って、出口側中心角ε１１５度より出口側中心角ε７５度を減じた値中心角４０度の間は、常に、２組の対向の回転力が重畳出力される。尚。図１８の区分数が４区分の２区分間の中心角は９０度であるので、１組目が出口側中心角ε４５度に位置した時、次の対向組が回転ポテンシャル位置となる。出口側中心角ε１１５度より出口側中心角ε４５度を減じた中心角度７０度が、常に、２組の対向の回転力が重畳出力され、回転出力は更に、大となる。【００６３】次の対抗区分である主円盤３の突出形磁石８（Ｂ）と副円盤２の突出形磁石８（Ｅ）が、図１９位置における回転ポテンシャル位置となり、同じように回転力を作用して、次の対向区分である主円盤３の突出形磁石８（Ｃ）と副円盤４の突出形磁石８（Ｆ）となり、回転のサイクルは、持続する。永久機関は自然法則（エネルギー保存法則）に反し、不可能とする者がいるが、現に、フェライト磁石、ネオジム磁石は、全て日本が特許とした永久磁石であり、自然法則に反するどころか自然法則そのものである。手作りの木製の実験装置が、主軸に鉄板を押しつけ負荷をかけた状態で、停止位置より、自力回転すれば、成程と、誰もが納得するだろう。
【産業上の利用可能性】
【００６４】超電導電磁石や電磁石による大電力発電が可能となり、長距離送電設備も必要なく都市部に少スペース、安全で、自然に優しい発電設備を設ける事ができる。電気自動車は、誰もが、ガソリン補給の心配なく使用できるだろう。又、本格的な宇宙時代の推進エネルギーとして、誰もが宇宙に行ける時代となるだろう。
【図面の簡単な説明】
【００６５】
【図１】図１は発明本体で、第１実施の形態に係る図であり、図２のＢ−Ｂ線方向の主円盤回転車１部分断面と、Ｃ−Ｃ線方向の副円盤回転車２部分の断面であり、各々、主、副各円盤面を透視し、各区分点の傾斜線ｊと直角線ｋ上に突出形磁石８を固定した時の合成した断面透視平面図。
【図２】図２は、発明本体図１のＡ−Ａ線方向の断面立面図。
【図３】図３は、発明本体図２のＤ−Ｄ線方向の断面側面図である。
【図４】図４は、区分点ｅ位置における主傾斜台６を各ブロックに分解した時の斜視図。
【図５】図５は、区分点ｅ位置における主傾斜台６の斜視図
【図６】図６は、突出部支持板６ａを付けた主傾斜台６の斜視図
【図７】図７は、区分点位置における副傾斜台７を各ブロックに分解した時の斜視図。
【図８】図８は、区分点位置における副傾斜台７の斜視図。
【図９】図９は、突出部支持板７ａを付けた副傾斜台７の斜視図
【図１０】図１０は主連結部１４を各ブロックに分解した時の斜視図。
【図１１】図１１は、突出部支持板１４ａを付けた主連結部１４の斜視図
【図１２】図１２は、副連結部１５を各ブロックに分解した時の斜視図主
【図１３】図１３は突出部支持板１５ａを付けた副連結部１５の斜視図
【図１４】図１４は、主突出形磁石８の斜視図
【図１５】図１５は、副主突出形磁石９の斜視図
【図１６】図１６は、発明本体で、第２実施の形態に係る図であり、図１７のＢ−Ｂ線方向の主円盤回転車１部分の断面と、Ｃ−Ｃ線方向の副円盤回転車２部分の断面であり、各々、主、副各円盤面を透視し、各区分点の傾斜線ｊと直角線ｋ上に主突出形磁石８と副突出形磁石９を固定した時の合成した断面透視平面図。
【図１７】図１７は発明本体図１６のＡ−Ａ線方向の断面立面図。
【図１８】図１８は、発明本体で、第３実施の形態に係る図であり、図１６と同じ位置の断面透視平面図。
【図１９】図１９は、本発明の第１の実施形態の回転原理の説明図であり、主円盤３の主突出形磁石８（Ａ）の区分点ｅを通る中心線が、２点を通る中心線０−０上より、入り口側に、中心角εを４５度の位置した時の図である。矢印は主円盤３、副円盤４の回転方向である。
【図２０】図２０は、主円盤３における主突出形磁石６（Ａ）の区分点ｅを通る中心線が、２点を通る中心線０−０上とし中心角εを０度に位置した図である。
【図２１】図２１は、主円盤３における突出形磁石８（Ａ）の区分点ｅを通る中心線が、２点を通る中心線０−０上より、中心角εを出口側４５度とした位置とする図である。
【図２２】図２２は、主円盤３における主突出形磁石６（Ａ）の区分点ｅを通る中心線が、２点を通る中心線０−０上より、中心角εを出口側６０度に位置した図である。
【図２３】図２３は、主円盤３における主突出形磁石６（Ａ）の区分点ｅを通る中心線が、２点を通る中心線０−０上より、中心角εを、出口側１１５度に位置した図である。
【符号の説明】
【００６６】  １                主円盤回転車
２                副円盤回転車
３                主円盤
４                副円盤
５                笠歯車
６                主傾斜台
６ａ              突出部受け板
６−Ａ            主傾斜台の平面台ブロック
６−Ｂ            主傾斜台の傾斜ブロック
６−Ｃ            主傾斜台の傾斜ブロック
７                副傾斜台
７ａ              突出部受け板
７−Ｄ            副傾斜台の平面台ブロック
７−Ｅ            副傾斜台の傾斜ブロック
７−Ｆ            副傾斜台の傾斜ブロック
８                主突出形磁石
８ａ              突出部磁石
９                副突出形磁石
９ａ              突出部磁石
１０              主軸
１１              主天盤
１２              副天盤
１３              フランジ付軸支持管
１４              主連結台
１４ａ              突出部受け板
１４−Ａ          主連結台の平面台ブロック
１４−Ｂ          主連結台の傾斜ブロック
１４−Ｃ          主連結台の傾斜ブロック
１５              副連結台
１５ａ            突出部受け板
１５−Ｄ          副連結台の平面台ブロック
１５−Ｅ          副連結台の傾斜ブロック
１５−Ｆ          副連結台の傾斜ブロック
１６              フライホィール
１７              装置容器
１８              スラスト軸受
１９              ラジアル軸受
２０              軸継手
２１              出力用笠歯車室
２２              出力用笠歯車
２３              クラッチ
２４              発電機取り付け台
２５              発電機
２６              冷凍機
２７              電源用小型本発明装置
２８              ディスクブレーキ装置
２９              ブレーキディスク
３０              プラスブシ保持器
３１              回転プラス接触面子
３２              マイナスブラシ保持器
３３              回転マイナス接触面子
３４              面上げ台
【手続補正３】
【補正対象書類名】図面
【補正対象項目名】図２
【補正方法】変更
【補正の内容】
【図２】
2018064440.tif 000026
【手続補正４】
【補正対象書類名】図面
【補正対象項目名】図３
【補正方法】変更
【補正の内容】
【図３】
2018064440.tif 000027
【手続補正５】
【補正対象書類名】図面
【補正対象項目名】図４
【補正方法】変更
【補正の内容】
【図４】
2018064440.tif 000028
【手続補正６】
【補正対象書類名】図面
【補正対象項目名】図７
【補正方法】変更
【補正の内容】
【図７】
2018064440.tif 000029
【手続補正７】
【補正対象書類名】図面
【補正対象項目名】図８
【補正方法】変更
【補正の内容】
【図８】
2018064440.tif 000030
【手続補正８】
【補正対象書類名】図面
【補正対象項目名】図９
【補正方法】変更
【補正の内容】
【図９】
2018064440.tif 000031
【手続補正９】
【補正対象書類名】図面
【補正対象項目名】図１２
【補正方法】変更
【補正の内容】
【図１２】
2018064440.tif 000032
【手続補正１０】
【補正対象書類名】図面
【補正対象項目名】図１７
【補正方法】変更
【補正の内容】
【図１７】
2018064440.tif 000033
【手続補正１１】
【補正対象書類名】図面
【補正対象項目名】図２１
【補正方法】変更
【補正の内容】
【図２１】
2018064440.tif 000034